(57)【要約】【課題】  ３Ｄ映像の透過率および側面視認性を向上させて、表示品質を高めることができる表示装置およびその駆動方法【解決手段】  本発明によって、フレーム単位で映像を表示する複数の画素を含む表示装置で、一つの画素が一つ以上のフレームを含む第１フレームセットの間に左眼映像信号に対応する映像を表示し、第２フレームセットの間に右眼映像信号に対応する映像を表示することを含み、時間的に連続する第１および第２フレームセットは、第１ガンマ曲線による第１映像を表示する少なくとも一つのフレームおよび第１ガンマ曲線と異なる第２ガンマ曲線による第２映像を表示する少なくとも一つのフレームを含み、第１映像の輝度は第２映像の輝度より低くなく、時間的に連続する第１および第２フレームセットが含む複数のフレームは第２映像を連続して表示する二つのフレームを含む表示装置の駆動方法が提供される。【選択図】    図１
2014010446.tif 000002
【特許請求の範囲】
【請求項１】
フレーム単位で映像を表示する複数の画素を含む表示装置で、
一つの画素が一つ以上のフレームを含む第１フレームセットの間に左眼映像信号に対応する映像を表示し、
前記画素が一つ以上の連続したフレームを含む第２フレームセットの間に右眼映像信号に対応する映像を表示すること
を含み、
時間的に連続する前記第１フレームセットおよび前記第２フレームセットは、第１ガンマ曲線による第１映像を表示する少なくとも一つのフレームおよび前記第１ガンマ曲線と異なる第２ガンマ曲線による第２映像を表示する少なくとも一つのフレームを含み、
前記第１映像の輝度は前記第２映像の輝度より低くなく、
前記時間的に連続する前記第１フレームセットおよび前記第２フレームセットが含む複数のフレームは前記第２映像を連続して表示する二つのフレームを含む、
表示装置の駆動方法。
【請求項２】
前記第１フレームセットおよび前記第２フレームセットは、それぞれ前記第１映像を表示するフレームおよび前記第２映像を表示するフレームを含む、請求項１に記載の表示装置の駆動方法。
【請求項３】
連続した前記第１フレームセットで、前記第１映像および前記第２映像を表示する順序は互いに反対であることを特徴とする請求項２に記載の表示装置の駆動方法。
【請求項４】
前記複数の画素は行方向または列方向に隣接する第１画素および第２画素を含み、
一つのフレームの間に前記第１画素が前記第１映像を表示する時、前記第２画素は前記第２映像を表示する、
請求項３に記載の表示装置の駆動方法。
【請求項５】
前記第１フレームセットで前記第１映像および前記第２映像を表示する順序は、前記第２フレームセットで前記第１映像および前記第２映像を表示する順序と異なる、請求項２に記載の表示装置の駆動方法。
【請求項６】
連続した前記第１フレームセットで、前記第１映像および前記第２映像を表示する順序は互いに反対である、請求項５に記載の表示装置の駆動方法。
【請求項７】
前記複数の画素は行方向または列方向に隣接する第１画素および第２画素を含み、
一つのフレームの間に前記第１画素が前記第１映像を表示する時、前記第２画素は前記第２映像を表示する、請求項６に記載の表示装置の駆動方法。
【請求項８】
時間的に連続する前記第１フレームセットおよび前記第２フレームセットが含む複数のフレームで、前記第１映像を表示するフレームの数と前記第２映像を表示するフレームの数の比は１：３である、請求項１に記載の表示装置の駆動方法。
【請求項９】
前記第１映像を表示する二つのフレームの間には前記第２映像を表示する四つのフレームが位置する、請求項８に記載の表示装置の駆動方法。
【請求項１０】
前記複数の画素は行方向または列方向に隣接する第１画素および第２画素を含み、
一つのフレームの間に前記第１画素が前記第１映像を表示する時、前記第２画素は前記第２映像を表示する、請求項９に記載の表示装置の駆動方法。
【請求項１１】
前記第１フレームセットおよび前記第２フレームセットのそれぞれは、同一のガンマ曲線による映像を表示する複数のフレームを含む、請求項１に記載の表示装置の駆動方法。
【請求項１２】
前記時間的に連続する前記第１フレームセットおよび前記第２フレームセットが含む複数のフレームが表示する映像は同一のガンマ曲線による、請求項１１に記載の表示装置の駆動方法。
【請求項１３】
前記複数の画素は行方向または列方向に隣接する第１画素および第２画素を含み、
一つのフレームの間に前記第１画素が前記第１映像を表示する時、前記第２画素は前記第２映像を表示する、請求項１２に記載の表示装置の駆動方法。
【請求項１４】
前記第１フレームセットおよび前記第２フレームセットはそれぞれ一つのフレームを含み、
時間的に連続する前記第１フレームセットおよび前記第２フレームセットは同一のガンマ曲線による映像を表示する、請求項１に記載の表示装置の駆動方法。
【請求項１５】
前記複数の画素は行方向または列方向に隣接する第１画素および第２画素を含み、
一つのフレームの間に前記第１画素が前記第１映像を表示する時、前記第２画素は前記第２映像を表示する、請求項１４に記載の表示装置の駆動方法。
【請求項１６】
フレーム単位で映像を表示する複数の画素行を含む表示装置で、
第１画素行に該当する出力映像信号に対応するデータ電圧で前記第１画素行および前記第１画素行と異なる第２画素行を同時に充電して予備充電し、
前記予備充電された後、前記第１画素行の充電電圧は維持し、前記第２画素行に該当する出力映像信号に対応するデータ電圧で前記第２画素行を充電して第１メイン充電をし、
前記第１メイン充電された後、前記第２画素行の充電電圧は維持し、前記第１画素行に該当する出力映像信号に対応するデータ電圧で前記第１画素行を充電して第２メイン充電をすること
を含み、
各フレームは、前記予備充電、前記第１メイン充電，および，前記第２メイン充電とを含み、
第１フレームの予備充電のときに、前記第１画素行および前記第２画素行が表示する映像が従うガンマ曲線は前記第１フレームの前記第１メイン充電のときに前記第１画素行が表示する映像が従うガンマ曲線と異なることを特徴とする表示装置の駆動方法。
【請求項１７】
前記第１フレームの前記予備充電において、前記第１画素行および前記第２画素行が表示する映像が第１ガンマ曲線による場合、前記第１フレームの次の第２フレームの前記予備充電において、前記第１画素行および前記第２画素行が表示する映像は前記第１ガンマ曲線と異なる第２ガンマ曲線によることを特徴とする請求項１６に記載の表示装置の駆動方法。
【請求項１８】
前記第２フレームの前記第１メイン充電の場合に、前記第１画素行が表示する映像は前記第２ガンマ曲線による、請求項１７に記載の表示装置の駆動方法。
【請求項１９】
複数のドットを含み、各ドットはフレーム単位で映像を表示する複数の画素を含む表示装置で、
第１画素が第１フレームの間に第１ガンマ曲線による左眼映像を表示し、
前記第１画素と列方向に隣接する第２画素が前記第１フレームの間に前記第１ガンマ曲線と異なる第２ガンマ曲線による左眼映像を表示し、
前記第１画素が前記第１フレームの次の前記第２フレームの間に前記第１ガンマ曲線によ
る右眼映像を表示し、
前記第２画素が前記第２フレームの間に前記第２ガンマ曲線による右眼映像を表示すること
を含み、
前記複数の画素のうちの互いに隣接し同一のカラーを示す二つの画素が表示する映像は互いに異なるガンマ曲線による、表示装置の駆動方法。
【請求項２０】
一つのドットが含む前記複数の画素は、同一のガンマ曲線による映像を表示する、請求項１９に記載の表示装置の駆動方法。
【請求項２１】
一つの画素行に位置する画素は同一のガンマ曲線による映像を表示する、請求項２０に記載の表示装置の駆動方法。
【請求項２２】
行方向に隣接するドットが含む画素は、互いに異なるガンマ曲線による映像を表示する、請求項２０に記載の表示装置の駆動方法。
【請求項２３】
一つのドットが含む前記複数の画素は、互いに異なるガンマ曲線による映像を表示する少なくとも二つの画素を含む、請求項１９に記載の表示装置の駆動方法。
【請求項２４】
行方向に隣接する画素は互いに異なるガンマ曲線による映像を表示する、請求項２３に記載の表示装置の駆動方法。
【請求項２５】
前記画素は、互いに異なるガンマ曲線による映像を表示するかまたは同一のガンマ曲線による映像を表示してもよい第１副画素および第２副画素を含む、請求項１９に記載の表示装置の駆動方法。
【請求項２６】
少なくとも一つの画素を含む表示装置の駆動方法であって、
第１フレームの間に前記画素を通じて左眼映像を表示し、
前記第１フレームの次の第２フレームの間に前記画素を通じて右眼映像を表示することを含み、
前記左眼映像は、第１ガンマ曲線に対応する第１左眼映像及び第２ガンマ曲線に対応する第２左眼映像を含み、
前記右眼映像は、前記第１ガンマ曲線に対応する第１右眼映像及び前記第２ガンマ曲線に対応する第２右眼映像を含む、表示装置の駆動方法。
【発明の詳細な説明】
【技術分野】
【０００１】
本発明は、表示装置の駆動方法に関する。
【背景技術】
【０００２】
液晶表示装置（ｌｉｑｕｉｄ  ｃｒｙｓｔａｌ  ｄｉｓｐｌａｙ、ＬＣＤ）、有機発光表示装置（ｏｒｇａｎｉｃ  ｌｉｇｈｔ  ｅｍｉｔｔｉｎｇ  ｄｉｏｄｅ  ｄｉｓｐｌａｙ）などの表示装置は、一般にスイッチング素子を含む複数の画素および複数の信号線が備えられた表示板、階調基準電圧を生成する階調電圧生成部、そして階調基準電圧を用いて複数の階調電圧を生成し、生成された階調電圧の中の入力映像信号に該当する階調電圧をデータ信号としてデータ線に印加するデータ駆動部などを含む。
【０００３】
この中の液晶表示装置は、画素電極および対向電極が備えられた２つの表示板とその間に入っている誘電率異方性（ｄｉｅｌｅｃｔｒｉｃ  ａｎｉｓｏｔｒｏｐｙ）を有する液晶層を含む。画素電極は行列形態に配列されており、薄膜トランジスタ（ＴＦＴ）などスイッチング素子に接続されて、一行ずつ順次にデータ電圧の印加を受ける。対向電極は表示板の全面にかけて形成されており、共通電圧Ｖｃｏｍの印加を受ける。画素電極および対向電極に電圧を印加して液晶層に電界を生成し、この電界の強さを調節して液晶層を通過する光の透過率を調節することによって、所望の画像を得ることができる。
【０００４】
液晶表示装置の中で、電場が印加されない状態で液晶分子の長軸を上下表示板に対して垂直になるように配列した垂直配向方式（ｖｅｒｔｉｃａｌｌｙ  ａｌｉｇｎｅｄ  ｍｏｄｅ）液晶表示装置は、コントラスト比が大きく広い基準視野角の実現が容易である。しかし、液晶表示装置は前面視認性に比べて側面視認性が落ちることがあるが、これを解決するために１つの画素を２つの副画素に分割し、２つの副画素の電圧を異にする方法が提示された。このように１つの画素を２つの副画素に分割すれば、光が透過できる開口部が小さくなって、透過率が低下することがある。
【０００５】
一方、最近の表示装置技術の発展によって、３次元（３  ｄｉｍｅｎｓｉｏｎａｌ、３Ｄ）の立体映像を表示できる表示装置に関心が集まっており、多様な３次元映像表示方法が研究されている。
【０００６】
一般に、３Ｄ映像表示技術では近距離で立体感を認識する最も大きな要因である両眼視差（ｂｉｎｏｃｕｌａｒ  ｐａｒａｌｌａｘ）を利用して物体の立体感を表現する。つまり、左目（左眼）と右目（右眼）にはそれぞれ互いに異なる２Ｄ映像が映され、左眼に映される映像（以下、“左眼映像（ｌｅｆｔ  ｅｙｅ  ｉｍａｇｅ）”という）と右眼に映される映像（以下、“右眼映像（ｒｉｇｈｔ  ｅｙｅ  ｉｍａｇｅ）”という）が脳に伝達されると、左眼映像と右眼映像は脳で融合されて、奥行き知覚（ｄｅｐｔｈ  ｐｅｒｃｅｐｔｉｏｎ）または立体感を有する３Ｄ映像と認識される。
【発明の概要】
【発明が解決しようとする課題】
【０００７】
本発明が解決しようとする課題は、３Ｄ映像の透過率および側面視認性を向上させて、表示品質を高めることができる表示装置およびその駆動方法を提供することである。
【課題を解決するための手段】
【０００８】
本発明の一実施形態による表示装置の駆動方法は、フレーム単位で映像を表示する複数の画素を含む表示装置で、一つの画素が一つ以上のフレームを含む第１フレームセットの間
に左眼映像信号に対応する映像を表示し、前記画素が一つ以上の連続したフレームを含む第２フレームセットの間に右眼映像信号に対応する映像を表示することを含み、時間的に連続する前記第１フレームセットおよび前記第２フレームセットは、第１ガンマ曲線による第１映像を表示する少なくとも一つのフレームおよび前記第１ガンマ曲線と異なる第２ガンマ曲線による第２映像を表示する少なくとも一つのフレームを含み、前記第１映像の輝度は前記第２映像の輝度より低くなく、前記時間的に連続する前記第１フレームセットおよび前記第２フレームセットが含む複数のフレームは前記第２映像を連続して表示する二つのフレームを含む。
【０００９】
前記第１フレームセットおよび前記第２フレームセットは、それぞれ前記第１映像を表示するフレームおよび前記第２映像を表示するフレームを含んでもよい。
【００１０】
連続した前記第１フレームセットで、前記第１映像および前記第２映像を表示する順序は互いに反対であってもよい。
【００１１】
前記複数の画素は行方向または列方向に隣接する第１画素および第２画素を含み、一つのフレームの間に前記第１画素が前記第１映像を表示する時、前記第２画素は前記第２映像を表示してもよい。
【００１２】
前記第１フレームセットで前記第１映像および前記第２映像を表示する順序は、前記第２フレームセットで前記第１映像および前記第２映像を表示する順序と異なってもよい。
【００１３】
時間的に連続する前記第１フレームセットおよび前記第２フレームセットが含む複数のフレームで、前記第１映像を表示するフレームの数と前記第２映像を表示するフレームの数の比は１：３であってもよい。
【００１４】
前記第１映像を表示する二つのフレームの間には前記第２映像を表示する四つのフレームが配置してもよい。
【００１５】
前記第１フレームセットおよび前記第２フレームセットのそれぞれは、同一のガンマ曲線による映像を表示する複数のフレームを含んでもよい。
【００１６】
前記時間的に連続する前記第１フレームセットおよび前記第２フレームセットが含む複数のフレームが表示する映像は同一のガンマ曲線によってもよい。
【００１７】
前記第１フレームセットおよび前記第２フレームセットはそれぞれ一つのフレームを含み、時間的に連続する前記第１フレームセットおよび前記第２フレームセットは同一のガンマ曲線による映像を表示してもよい。
【００１８】
本発明の一実施形態による表示装置の駆動方法は、フレーム単位で映像を表示する複数の画素行を含む表示装置で、第１画素行に該当する出力映像信号に対応するデータ電圧で前記第１画素行および前記第１画素行と異なる第２画素行を同時に充電して予備充電をし、前記予備充電された後、前記第１画素行の充電電圧は維持し、前記第２画素行に該当する出力映像信号に対応するデータ電圧で前記第２画素行を充電して第１メイン充電をし、前記第１メイン充電された後、前記第２画素行の充電電圧は維持し、前記第１画素行に該当する出力映像信号に対応するデータ電圧で前記第１画素行を充電する第２メイン充電をすることを含み、各フレームは、前記予備充電、前記第１メイン充電，および，前記第２メイン充電を含み、第１フレームの予備充電するときに、前記第１画素行および前記第２画素行が表示する映像が従うガンマ曲線は前記第１フレームの前記第１メイン充電をするときに前記第１画素行が表示する映像が従うガンマ曲線と異なる。
【００１９】
前記第１フレームの前記予備充電において、前記第１画素行および前記第２画素行が表示する映像が第１ガンマ曲線による場合、前記第１フレームの次の第２フレームの前記予備充電において、前記第１画素行および前記第２画素行が表示する映像は前記第１ガンマ曲線と異なる第２ガンマ曲線によってもよい。
【００２０】
前記第２フレームの前記第１メイン充電の場合に、前記第１画素行が表示する映像は前記第２ガンマ曲線によってもよい。
【００２１】
本発明の一実施形態による表示装置の駆動方法は、複数のドットを含み、各ドットはフレーム単位で映像を表示する複数の画素を含む表示装置で、第１画素が第１フレームの間に第１ガンマ曲線による左眼映像を表示し、前記第１画素と列方向に隣接する第２画素が前記第１フレームの間に前記第１ガンマ曲線と異なる第２ガンマ曲線による左眼映像を表示し、前記第１画素が前記第１フレームの次の前記第２フレームの間に前記第１ガンマ曲線による右眼映像を表示し、前記第２画素が前記第２フレームの間に前記第２ガンマ曲線による右眼映像を表示することを含み、前記複数の画素のうちの互いに隣接し同一の色を示す二つの画素が表示する映像は互いに異なるガンマ曲線によってもよい。
【００２２】
一つのドットが含む前記複数の画素は、同一のガンマ曲線による映像を表示してもよい。
【００２３】
一つの画素行に位置する画素は同一のガンマ曲線による映像を表示してもよい。
行方向に隣接するドットが含む画素は、互いに異なるガンマ曲線による映像を表示してもよい。
【００２４】
一つのドットが含む前記複数の画素は、互いに異なるガンマ曲線による映像を表示する少なくとも二つの画素を含んでもよい。
【００２５】
行方向に隣接する画素は互いに異なるガンマ曲線による映像を表示してもよい。
【００２６】
前記画素は、互いに異なるガンマ曲線による映像を表示するかまたは同一のガンマ曲線による映像を表示することができる第１副画素および第２副画素を含んでもよい。
【発明の効果】
【００２７】
本発明の実施形態によれば、３Ｄ映像を表示する表示装置の透過率および側面視認性が向上して、表示品質を高めることができる。
【図面の簡単な説明】
【００２８】
【図１】本発明の一実施形態による表示装置のブロック図である。
【図２】本発明の一実施形態による表示装置のブロック図である。
【図３】本発明の一実施形態による３Ｄ映像を表示できる表示装置のブロック図である。
【図４】本発明の一実施形態による表示装置の一つの画素の簡略な回路図である。
【図５】本発明の一実施形態による表示装置のガンマ曲線を示すグラフである。
【図６】本発明の一実施形態による表示装置のガンマ曲線を示すグラフである。
【図７】本発明の一実施形態による表示装置の一つの画素が含む二つの副画素を示した図面である。
【図８】本発明の一実施形態による表示装置の一つの画素の等価回路図である。
【図９】本発明の一実施形態による表示装置の一つの画素の平面図である。
【図１０】図９の表示装置のＸ−Ｘ線による断面図である。
【図１１】本発明の一実施形態による表示装置の一つの画素の等価回路図である。
【図１２Ａ】本発明の一実施形態による表示装置の一つの画素の平面図である。
【図１２Ｂ】本発明の一実施形態による表示装置の一つの画素の平面図である。
【図１３】図１２Ａの表示装置のＸＩＩＩ−ＸＩＩＩ線による断面図である。
【図１４】本発明の一実施形態による表示装置の一つの画素の等価回路図である。
【図１５】本発明の一実施形態による表示装置の一つの画素の等価回路図である。
【図１６】本発明の一実施形態による表示装置の一つの画素の等価回路図である。
【図１７】本発明の一実施形態による３Ｄ映像を表示できる表示装置の駆動方法を示すタイミング図である。
【図１８】本発明の一実施形態による３Ｄ映像を表示できる表示装置の駆動方法を示すタイミング図である。
【図１９】本発明の一実施形態による３Ｄ映像を表示できる表示装置の駆動方法を示すタイミング図である。
【図２０】本発明の一実施形態による３Ｄ映像を表示できる表示装置の駆動方法を示すタイミング図である。
【図２１】本発明の一実施形態による３Ｄ映像を表示できる表示装置の駆動方法を示すタイミング図である。
【図２２】本発明の一実施形態による３Ｄ映像を表示できる表示装置の駆動方法を示すタイミング図である。
【図２３】本発明の一実施形態による３Ｄ映像を表示できる表示装置の駆動方法を示すタイミング図である。
【図２４】本発明の一実施形態による３Ｄ映像を表示できる表示装置の駆動方法を示すタイミング図である。
【図２５】本発明の一実施形態による表示装置が含む画素の簡略な配置図である。
【図２６】本発明の一実施形態による３Ｄ映像を表示できる表示装置の駆動方法を示すタイミング図である。
【図２７】本発明の一実施形態による３Ｄ映像を表示できる表示装置の駆動方法を示すタイミング図である。
【図２８】本発明の一実施形態による３Ｄ映像を表示できる表示装置の駆動方法を示すタイミング図である。
【図２９】本発明の一実施形態による３Ｄ映像を表示できる表示装置の駆動方法を示すタイミング図である。
【図３０】本発明の一実施形態による３Ｄ映像を表示できる表示装置の駆動方法を示すタイミング図である。
【図３１】本発明の一実施形態による３Ｄ映像を表示できる表示装置の駆動方法を示すタイミング図である。
【図３２】本発明の一実施形態による３Ｄ映像を表示できる表示装置の駆動方法を示すタイミング図である。
【図３３】本発明の一実施形態による３Ｄ映像を表示できる表示装置の駆動方法を示すタイミング図である。
【図３４】本発明の一実施形態による３Ｄ映像を表示できる表示装置の駆動方法を示すタイミング図である。
【図３５】本発明の一実施形態による３Ｄ映像を表示できる表示装置の駆動方法を示すタイミング図である。
【図３６】本発明の一実施形態による表示装置の画素に適用されるガンマ曲線による輝度をフレーム順序によって示した図面である。
【図３７】本発明の一実施形態による表示装置の画素に適用されるガンマ曲線による輝度をフレーム順序によって示した図面である。
【図３８】本発明の一実施形態による表示装置の画素に適用されるガンマ曲線による輝度をフレーム順序によって示した図面である。
【図３９】本発明の一実施形態による表示装置の画素に適用されるガンマ曲線による輝度をフレーム順序によって示した図面である。
【図４０】本発明の一実施形態による表示装置の画素に適用されるガンマ曲線による輝度をフレーム順序によって示した図面である。
【図４１】本発明の一実施形態による表示装置の画素に適用されるガンマ曲線による輝度をフレーム順序によって示した図面である。
【図４２】本発明の一実施形態による表示装置の画素に適用されるガンマ曲線による輝度をフレーム順序によって示した図面である。
【図４３】本発明の一実施形態による表示装置の画素に適用されるガンマ曲線による輝度をフレーム順序によって示した図面である。
【図４４】本発明の一実施形態による表示装置の画素に適用されるガンマ曲線による輝度をフレーム順序によって示した図面である。
【図４５】本発明の一実施形態による表示装置の画素に適用されるガンマ曲線による輝度をフレーム順序によって示した図面である。
【図４６】本発明の一実施形態による表示装置の画素に適用されるガンマ曲線による輝度をフレーム順序によって示した図面である。
【図４７】本発明の一実施形態による表示装置の画素に適用されるガンマ曲線による輝度をフレーム順序によって示した図面である。
【図４８】本発明の一実施形態による表示装置の複数の画素の輝度を示した図面である。
【図４９】本発明の一実施形態による表示装置の複数の画素の輝度を示した図面である。
【図５０】本発明の一実施形態による表示装置の複数の画素の輝度を示した図面である。
【図５１】本発明の一実施形態による表示装置の表示板の簡略な回路図である。
【図５２】本発明の一実施形態による３Ｄ映像を表示できる表示装置の駆動方法を示すタイミング図である。
【図５３】本発明の一実施形態による表示装置の二つの画素行の画素の時間による輝度変化の複数のパターン（（ａ）乃至（ｅ））を示した図面である。
【発明を実施するための形態】
【００２９】
以下、添付した図面を参考として、本発明の実施形態について本発明の属する技術分野における通常の知識を有する者が容易に実施することができるように詳しく説明する。なお、本発明には様々な実施形態がありうるものであり、ここで説明する実施形態に限られない。
【００３０】
まず、図１乃至図６を参照して本発明の一実施形態による表示装置について説明する。
【００３１】
図１および図２はそれぞれ本発明の一実施形態による表示装置のブロック図であり、図３は本発明の一実施形態による３Ｄ映像を表示できる表示装置のブロック図であり、図４は本発明の一実施形態による表示装置の一つの画素（ＰＸ）の簡略な回路図であり、図５および図６はそれぞれ本発明の一実施形態による表示装置のガンマ曲線を示すグラフである。
【００３２】
図１および図２を参照すれば、本発明の一実施形態による表示装置は統合制御部（ｉｎｔｅｇｒａｔｉｏｎ  ｃｏｎｔｒｏｌｌｅｒ）７００、立体映像変換部（３Ｄ  ｉｍａｇｅ
ｃｏｎｖｅｒｓｉｏｎ  ｍｅｍｂｅｒ）６０、表示板（ｄｉｓｐｌａｙ  ｐａｎｅｌ）３００、表示板３００に接続されたゲート駆動部（Ｇａｔｅ  ｄｒｉｖｅｒ）４００およびデータ駆動部（Ｄａｔａ  ｄｒｉｖｅｒ）５００、データ駆動部５００に接続された階調電圧生成部（Ｇｒａｙ  ｖｏｌｔａｇｅ  ｇｅｎｅｒａｔｏｒ）８００、信号制御部（Ｓｉｇｎａｌ  ｃｏｎｔｒｏｌｌｅｒ）６００、そして信号制御部６００と接続されたメ
モリ（Ｍｅｍｏｒｙ）６５０を含む。
【００３３】
統合制御部７００は、外部から映像情報ＤＡＴＡおよびモード選択情報ＳＥＬなどを受信する。モード選択情報ＳＥＬは映像を２Ｄモードで表示するか３Ｄモードで表示するかに対する２Ｄ／３Ｄモードに対する選択情報などを含んでもよい。統合制御部７００は映像情報ＤＡＴＡおよびモード選択情報ＳＥＬに基づいて入力映像信号ＩＤＡＴおよび入力映像信号ＩＤＡＴの表示を制御する入力制御信号ＩＣＯＮを生成する。統合制御部７００はモード選択情報ＳＥＬが３Ｄモードを選択するとの情報を含む場合、３Ｄ同期信号３Ｄ_
ｓｙｎｃおよび３Ｄイネーブル信号３Ｄ_ｅｎをさらに生成してもよい。入力映像信号Ｉ
ＤＡＴおよび入力制御信号ＣＯＮＴ１と３Ｄイネーブル信号３Ｄ_ｅｎは信号制御部６０
０に伝達され、３Ｄ同期信号３Ｄ_ｓｙｎｃは立体映像変換部６０に伝達される。
【００３４】
入力映像信号ＩＤＡＴは輝度（ｌｕｍｉｎａｎｃｅ）情報を含んでおり、輝度は定められた数の階調（ｇｒａｙ）を有してよい。３Ｄイネーブル信号３Ｄ_ｅｎは表示装置が３Ｄ
モードで動作するように指示し、３Ｄ同期信号３Ｄ_ｓｙｎｃは３Ｄモードの場合、立体
映像変換部６０の動作タイミングを制御してもよい。入力制御信号ＩＣＯＮは映像表示と関連して、垂直同期信号Ｖｓｙｎｃ、水平同期信号Ｈｓｙｎｃ、メインクロックＭＣＬＫ、データイネーブル信号ＤＥなどを含んでもよい。
【００３５】
表示板３００は、複数の信号線とこれに接続されておりほぼ行列形態に配列された複数の画素ＰＸを含む。本発明の一実施形態による表示装置が液晶表示装置である場合、表示板３００は断面から見たとき、互いに対向する下部および上部表示板（図示せず）と両者の間に入っている液晶層（図示せず）を含んでもよい。
【００３６】
信号線は、ゲート信号（“走査信号”とも言う）を伝達し、行方向Ｄ１に伸びる複数のゲート線Ｇ１−Ｇｎと、データ電圧を伝達し、列方向Ｄ２に伸びる複数のデータ線Ｄ１−Ｄｍを含む。
【００３７】
図４を参照すれば、本発明の一実施形態による表示装置が含む一つの画素ＰＸは少なくとも一つのデータ線Ｄｊおよび少なくとも一つのゲート線Ｇｉに接続されている少なくとも一つのスイッチング素子Ｑおよびこれに接続された少なくとも一つの画素電極１９１を含んでもよい。スイッチング素子Ｑは少なくとも一つの薄膜トランジスタを含んでもよく、ゲート線Ｇｉが伝達するゲート信号Ｖｇによって制御されながらデータ線Ｄｊが伝達するデータ電圧Ｖｄ（Ｖｄ  ｉｎｐｕｔ）を画素電極１９１に伝達してもよい。
【００３８】
各画素ＰＸは色表示を実現するために、３つの基本色（ｐｒｉｍａｒｙ  ｃｏｌｏｒ）のうちの一つを表示するか（空間分割）または各画素ＰＸが交互に連続して基本色を表示する（時間分割）。これら基本色の空間的、時間的和で所望の色が認識されるようにしてもよい。互いに異なる基本色を表示する隣接した複数の画素ＰＸは共に一つのセット（ドットという）を成すことができる。一つのドットは白色の映像を表示してもよい。
【００３９】
ゲート駆動部４００はゲート線Ｇ１−Ｇｎに接続されて、ゲートオン電圧Ｖｏｎとゲートオフ電圧Ｖｏｆｆの組み合わせからなるゲート信号Ｖｇを列方向Ｄ２に順次にゲート線Ｇ１−Ｇｎに印加する。
【００４０】
メモリ６５０は信号制御部６００と接続されて、ガンマ曲線に対するガンマ値を記憶しており、信号制御部６００に出力する。ガンマ曲線とは、入力映像信号ＩＤＡＴの階調に対する輝度または透過率を示す曲線であって、これに基づいて階調電圧または基準階調電圧を定めることができる。メモリ６５０が格納するガンマ値は２つ以上の異なるガンマ曲線のガンマ値を含んでもよい。
【００４１】
例えば図５を参照すれば、本発明の一実施形態による表示装置のガンマ値は第１ガンマ曲線ＧＨおよび第２ガンマ曲線ＧＬのガンマ値を含んでもよい。ここで第１ガンマ曲線ＧＨによる映像の輝度（Ｎｏｒｍａｌｉｚｅｄ  ｌｕｍｉｎａｎｃｅ）は、第２ガンマ曲線ＧＬによる映像の輝度より高いかまたは同じであってもよい。第１および第２ガンマ曲線ＧＨ、ＧＬは表示装置の側面視認性を向上させるために、第１および第２ガンマ曲線ＧＨ、ＧＬの合成ガンマ曲線が、表示装置に最も適するように定められた正面ガンマ曲線（例えば、ガンマ値が２．２であるガンマ曲線）Ｇｆと一致するようにし、側面での合成ガンマ曲線が正面ガンマ曲線Ｇｆに最大限近くなるように調整してもよい。
【００４２】
図６を参照すれば、本発明の他の実施形態によるガンマ値は互いに異なる少なくとも三つのガンマ曲線に対するガンマ値を含んでもよい。具体的に、本発明の一実施形態によるガンマ値は第１ガンマ曲線ＧＨ、第２ガンマ曲線ＧＬおよび第３ガンマ曲線ＧＭに対するガンマ値を含んでもよい。ここで第１ガンマ曲線ＧＨによる映像の輝度は第３ガンマ曲線ＧＭによる映像の輝度より高いかまたは同じであっても良く、第３ガンマ曲線ＧＭによる映像の輝度は第２ガンマ曲線ＧＬによる映像の輝度より高いかまたは同じであってもよい。第１乃至第３ガンマ曲線ＧＨ、ＧＬ、ＧＭは、側面視認性を向上させるために一つのフレームセットの間に表示される映像の合成ガンマ曲線が表示装置に最も適するように定められた正面ガンマ曲線Ｇｆと一致するようにし、側面での合成ガンマ曲線が正面ガンマ曲線Ｇｆに最大限近くなるように調整してもよい。この時、合成ガンマ曲線が最大限変曲点を有せず正面ガンマ曲線Ｇｆに近くなるように第１乃至第３ガンマ曲線ＧＨ、ＧＬ、ＧＭを選択して表示品質を高めることができる。
【００４３】
本発明の他の実施形態によれば、メモリ６５０は信号制御部６００または階調電圧生成部８００の中に含まれても良く、データ駆動部５００の中に含まれてもよい。
【００４４】
階調電圧生成部８００は、画素ＰＸの透過率と関連する全体階調電圧またはあらかじめ定められた階調電圧（基準階調電圧という）の数を生成する。（基準）階調電圧は共通電圧Ｖｃｏｍに対して正の値を有するものと負の値を有するものを含んでもよい。階調電圧生成部８００は、信号制御部６００からガンマ値を受信して、ガンマ値に基づいて（基準）階調電圧を生成してもよい。
【００４５】
本発明の他の実施形態によれば、階調電圧生成部８００はデータ駆動部５００に含まれてもよい。
【００４６】
データ駆動部５００はデータ線Ｄ１−Ｄｍと接続されており、階調電圧生成部８００からの階調電圧を選択しこれをデータ電圧Ｖｄとしてデータ線Ｄ１−Ｄｍに印加する。しかし、階調電圧生成部８００が階調電圧を全て提供するのではなくあらかじめ定められた数の基準階調電圧のみを提供する場合に、データ駆動部５００は基準階調電圧を分圧して全体階調に対する階調電圧を生成し、生成された階調電圧の中からデータ電圧Ｖｄを選択することもできる。
【００４７】
信号制御部６００は、統合制御部７００から入力映像信号ＩＤＡＴと入力制御信号ＣＯＮＴ１、そして３Ｄイネーブル信号３Ｄ_ｅｎを受信して、ゲート駆動部４００、データ駆
動部５００および階調電圧生成部８００などの動作を制御する。
【００４８】
信号制御部６００は、入力映像信号ＩＤＡＴと入力制御信号ＩＣＯＮに基づいて入力映像信号ＩＤＡＴを表示板３００の動作条件に合うように適切に処理して出力映像信号ＤＡＴを生成し、ゲート制御信号ＣＯＮＴ１、データ制御信号ＣＯＮＴ２およびガンマ制御信号ＣＯＮＴ３などを生成する。
【００４９】
信号制御部６００は、統合制御部７００から入力された３Ｄイネーブル信号３Ｄ_ｅｎに
よって２Ｄ映像を表示する２Ｄモードまたは３Ｄ映像を表示する３Ｄモードで動作してもよい。３Ｄモードで、出力映像信号ＤＡＴは左眼映像信号と右眼映像信号を含んでもよい。これにより、表示板３００の一つの画素ＰＸは右眼映像信号に対応する右眼映像用データ電圧（“右眼データ電圧”という）と左眼映像用データ電圧（“左眼データ電圧”という）を交互に表示してもよい。
【００５０】
信号制御部６００は入力映像信号ＩＤＡＴをフレーム単位で格納できるフレームメモリ（ＦＭ）６６０をさらに含むこともできる。
【００５１】
立体映像変換部６０は、立体映像表示を実現するためのものであって、左眼に左眼用映像（“左眼映像”という）が入射するようにし、右眼に右眼用映像（“右眼映像”という）が入射するようにして、両眼視差を発生させてもよい。つまり、立体映像変換部６０は、両目にそれぞれ異なる角度から観察される映像を入力することによって、観察者が立体感を感じられるようにする。
【００５２】
図３を参照すれば、立体映像変換部６０の一例として、左眼（Ｌｅｆｔ  ｅｙｅ）シャッターおよび右眼（Ｒｉｇｈｔ  ｅｙｅ）シャッターを含むシャッター眼鏡（Ｓｈｕｔｔｅｒ  ｇｌａｓｓｅｓ）６０ａ、遮光部および透光部が交互に形成されているパララックスバリア（Ｐａｒａｌｌａｘ  ｂａｒｒｉｅｒ）６０ｂなどがある。
【００５３】
シャッター眼鏡６０ａを使用する場合、表示板３００が左眼映像と右眼映像を交互に表示すると、シャッター眼鏡６０ａが含む左眼シャッターおよび右眼シャッターがこれに同期して交互に光を遮断してもよい。そうすると、観察者はシャッター眼鏡６０ａを通じて表示板３００の映像を立体映像として認識することができる。
【００５４】
パララックスバリア６０ｂを使用する場合、表示板３００の前または後ろにパララックスバリア６０ｂを配置し、表示板３００は左眼映像と右眼映像を水平方向に交互に表示してもよい。パララックスバリア６０ｂには光が通過しない遮光部と、光が通過する透光部が交互に形成されていてもよい。パララックスバリア６０ｂの透光部を通じて表示板３００からの映像を左眼映像と右眼映像に分けて、観察者の左目と右目にそれぞれ入るようにしてもよい。
【００５５】
立体映像変換部６０は、統合制御部７００から３Ｄ同期信号３Ｄ_ｓｙｎｃを受信して、
これに同期して動作してもよい。３Ｄ同期信号３Ｄ_ｓｙｎｃは、信号制御部６００で生
成されて立体映像変換部６０に伝達することもできる。
【００５６】
図２を参照すれば、本発明の他の実施形態による表示装置は、表示板３００に光を提供するバックライト（Ｂａｃｋｌｉｇｈｔ）９００、およびバックライト９００を制御するバックライト制御部（Ｂａｃｋｌｉｇｈｔ  ｃｏｎｔｒｏｌｌｅｒ）９５０をさらに含んでもよい。
【００５７】
バックライト９００は表示板３００の後ろ側に配置させることができ、少なくとも一つの光源を含んでもよい。光源の例としては、ＣＣＦＬ（ｃｏｌｄ  ｃａｔｈｏｄｅ  ｆｌｕｏｒｅｓｃｅｎｔ  ｌａｍｐ）のような蛍光ランプ、ＬＥＤ（ｌｉｇｈｔ  ｅｍｉｔｔｉｎｇ  ｄｉｏｄｅ）などを含んでもよい。バックライト９００が含む光源は、バックライト制御信号ＣＯＮＴ４を用いたバックライト制御部９５０の制御によって所定時間点灯または消灯できる。バックライト９００は複数のブロックに分けて駆動され、この場合、バックライト９００は表示板３００と対向する少なくとも一つの直進性導光板をさらに含ん
でもよい。
【００５８】
本実施形態によれば、信号制御部６００はバックライト制御信号ＣＯＮＴ４をさらに生成して、バックライト制御部９５０に送信してもよい。また、統合制御部７００は３Ｄイネーブル信号３Ｄ_ｅｎおよび３Ｄタイミング信号３Ｄ_ＴＭをバックライト制御部９５０に伝達してもよい。
【００５９】
バックライト制御部９５０は、統合制御部７００から３Ｄタイミング信号３Ｄ_ＴＭや３
Ｄイネーブル信号３Ｄ_ｅｎなどを受信して、これらに基づいてバックライト制御信号を
生成し、これをバックライト９００に伝送する。バックライト９００は、バックライト制御信号の制御によって所定時間点灯または消灯する。
【００６０】
図２に示したものとは異なり、バックライト制御部９５０は信号制御部６００からバックライト制御信号ＣＯＮＴ４を受信することもできる。
【００６１】
それでは、このような表示装置の表示駆動方法について説明する。
【００６２】
信号制御部６００が統合制御部７００から入力映像信号ＩＤＡＴおよびその表示を制御する入力制御信号ＩＣＯＮを受信し、３Ｄモードの場合、３Ｄイネーブル信号３Ｄ_ｅｎを
受信して３Ｄモードで動作する。
【００６３】
信号制御部６００は、入力映像信号ＩＤＡＴ、入力制御信号ＩＣＯＮに基づいて入力映像信号ＩＤＡＴを処理して出力映像信号ＤＡＴに変換し、ゲート制御信号ＣＯＮＴ１、データ制御信号ＣＯＮＴ２およびガンマ制御信号ＣＯＮＴ３などを生成する。信号制御部６００はゲート制御信号ＣＯＮＴ１をゲート駆動部４００に送信し、データ制御信号ＣＯＮＴ２と出力映像信号ＤＡＴをデータ駆動部５００に送信し、ガンマ制御信号ＣＯＮＴ３を階調電圧生成部８００に送信する。データ制御信号ＣＯＮＴ２は共通電圧Ｖｃｏｍに対するデータ電圧Ｖｄの極性（データ電圧の極性という）を反転させる反転信号をさらに含んでもよい。ガンマ制御信号ＣＯＮＴ３はメモリ６５０に格納されていたガンマ値を含む。
【００６４】
本発明の一実施形態による表示装置がバックライト９００をさらに含む場合、信号制御部６００はバックライト制御信号ＣＯＮＴ４をさらに生成して、これをバックライト制御部９５０に送信してもよい。
【００６５】
階調電圧生成部８００は、ガンマ制御信号ＣＯＮＴ３によって階調電圧またはあらかじめ定められた基準階調電圧を生成して、データ駆動部５００に送る。階調電圧は互いに異なるガンマ曲線に対してそれぞれ設けることもでき、別途の選択過程を経て選択されたガンマ曲線に対して階調電圧を生成することもできる。
【００６６】
データ駆動部５００は、信号制御部６００からのデータ制御信号ＣＯＮＴ２によって一つの行の画素ＰＸに対するデジタル映像信号ＤＡＴを受信し、各デジタル映像信号ＤＡＴに対応する階調電圧を選択することによってデジタル映像信号ＤＡＴをアナログデータ電圧Ｖｄに変換した後、これを該当データ線Ｄ１−Ｄｍに印加する。
【００６７】
データ駆動部５００がデータ線Ｄ１−Ｄｍにデータ電圧Ｖｄを出力して各画素ＰＸに一つの映像を表示するフレーム周波数（入力周波数またはガンマ周波数とも言う）は、一つの入力映像信号ＩＤＡＴに対する映像を表示する連続した２つ以上のフレーム（フレームセットという）を単位とする映像周波数（出力周波数とも言う）と異なってもよい。具体的に、映像周波数はフレーム周波数の１／ｎ（ｎは２以上の自然数）であってもよい。例えば、フレーム周波数が１２０Ｈｚである時、映像周波数は６０Ｈｚなどであっても良く、
フレーム周波数が２４０Ｈｚである時、映像周波数は６０Ｈｚ、８０Ｈｚ、１２０Ｈｚなどであってもよい。
【００６８】
３Ｄモードの場合、各画素ＰＸはフレームセット単位で左眼データ電圧と右眼データ電圧の印加を交互に受けることができ、各フレームセットが含む複数のフレームでは互いに異なるかまたは同一のガンマ曲線による左眼／右眼データ電圧の印加を受けることができる。しかし、３Ｄモードで画素ＰＸが映像を表示する方法は立体映像変換部６０の種類によって、または３Ｄモードによって多様に変更できる。
【００６９】
ゲート駆動部４００は信号制御部６００からのゲート制御信号ＣＯＮＴ１によってゲートオン電圧Ｖｏｎをゲート線Ｇ１−Ｇｎに印加して、このゲート線Ｇ１−Ｇｎに接続されたスイッチング素子をターンオンさせる。そうすると、データ線Ｄ１−Ｄｍに印加されたデータ電圧Ｖｄがターンオンされたスイッチング素子を通じて該当画素ＰＸに印加される。画素ＰＸにデータ電圧Ｖｄが印加されると、画素ＰＸは多様な光学変換素子を通じてデータ電圧Ｖｄに対応する輝度を表示してもよい。例えば、液晶表示装置の場合、液晶層の液晶分子の傾いた程度を制御して光の偏光を調節し入力映像信号ＩＤＡＴの階調に対応する輝度を表示してもよい。
【００７０】
例えば、表示装置がバックライト９００を含む場合、バックライト９００はバックライト制御部９５０の制御によって、画素ＰＸが該当データ電圧Ｖｄで充電されるのに合わせて、発光期間ＯＮの間に発光してもよい。これにより、各画素ＰＸは該当データ電圧Ｖｄに対応する階調の映像を表示してもよい。
【００７１】
バックライト９００の発光期間ＯＮは、画素ＰＸにデータ電圧Ｖｄが印加された後、所定時間後に開始できる。このようなバックライト９００の発光期間ＯＮは、液晶層などの光学変換素子の応答速度によって適切に決めることができる。例えば、バックライト９００の発光期間ＯＮは、光学変換素子の反応がほとんど完了したときにスタートさせてもよく、これによって、クロストークなどの表示不良を防止してもよい。
【００７２】
３Ｄモードの場合、立体映像変換部６０は統合制御部７００から３Ｄ同期信号３Ｄ_ｓｙ
ｎｃを受信して、これに同期して動作し、表示板３００によって表示される左眼映像は左眼に、右眼映像は右眼に送って、観察者は立体映像を認識してもよい。
【００７３】
１水平周期［“１Ｈ”とも呼ばれ、水平同期信号Ｈｓｙｎｃおよびデータイネーブル信号ＤＥの一周期と同一］を単位としてこのような過程を繰り返すことによって、すべてのゲート線Ｇ１−Ｇｎに対して順次にゲートオン電圧Ｖｏｎを印加し、すべての画素ＰＸにデータ電圧Ｖｄを印加して、一つのフレーム（ｆｒａｍｅ）の映像を表示する。
【００７４】
本発明の一実施形態によれば、一つの画素ＰＸは一つのフレームセットが含む複数のフレームの間に互いに異なるガンマ曲線によるデータ電圧Ｖｄの印加を受けて映像を表示することができ、これを時分割駆動という。
【００７５】
一つの画素ＰＸが二つの副画素ＰＸａ、ＰＸｂを含む場合、空間分割駆動および時分割駆動が共に適用されて、一つのフレームの間の二つの副画素ＰＸａ、ＰＸｂを通じて、一つの入力映像信号ＩＤＡＴに対する互いに異なるガンマ曲線による映像を表示することができ、また、連続したフレームで各副画素ＰＸａ、ＰＸｂが互いに異なるガンマ曲線による映像を表示してもよい。したがって、二つの副画素ＰＸａ、ＰＸｂについて、一つのフレームセットの間の側面での合成ガンマ曲線を、正面ガンマ曲線Ｇｆに最大限近づけて、側面視認性を向上させることができる。
【００７６】
図７を参照して本発明の一実施形態による表示装置の画素について説明する。
【００７７】
図７は本発明の一実施形態による表示装置の一つの画素が含む二つの副画素を示した図面である。
【００７８】
図７を参照すれば、本発明の他の実施形態による表示装置の一つの画素ＰＸは、第１副画素ＰＸａおよび第２副画素ＰＸｂを含んでもよい。第１副画素ＰＸａおよび第２副画素ＰＸｂは一つの入力映像信号ＩＤＡＴに対して互いに異なるガンマ曲線による映像を表示することもでき、同一のガンマ曲線による映像を表示することもできる。また、第１副画素ＰＸａおよび第２副画素ＰＸｂの面積は互いに同一であっても良く、異なってもよい。
【００７９】
第１副画素ＰＸａおよび第２副画素ＰＸｂを含む画素ＰＸの多様な構造について、図８乃至図１６を参照して説明する。
【００８０】
まず、図８、図９および図１０を参照して本発明の一実施形態による表示装置について説明する。
【００８１】
図８は本発明の一実施形態による表示装置の一つの画素の等価回路図であり、図９は本発明の一実施形態による表示装置の一つの画素の平面図であり、図１０は図９の表示装置のＸ−Ｘ線による断面図である。
【００８２】
まず、図８を参照すれば、本発明の一実施形態による表示装置は液晶表示装置であって、ゲート線１２１、減圧ゲート線１２３、そしてデータ線１７１を含む信号線とこれに接続された画素ＰＸを含む。
【００８３】
各画素ＰＸは第１および第２副画素ＰＸａ、ＰＸｂを含む。第１副画素ＰＸａは第１スイッチング素子Ｑａ、第１液晶キャパシタＣｌｃａ、そして第１ストレージキャパシタＣｓｔａを含み、第２副画素ＰＸｂは第２および第３スイッチング素子Ｑｂ、Ｑｃ、第２液晶キャパシタＣｌｃｂ、第２ストレージキャパシタＣｓｔｂ、そして減圧キャパシタＣｓｔｄを含む。
【００８４】
第１および第２スイッチング素子Ｑａ、Ｑｂはそれぞれゲート線１２１およびデータ線１７１に接続されており、第３スイッチング素子Ｑｃは減圧ゲート線１２３に接続されている。
【００８５】
第１および第２スイッチング素子Ｑａ、Ｑｂは薄膜トランジスタなどの三端子素子であって、その制御端子はゲート線１２１と接続されており、入力端子はデータ線１７１と接続されており、出力端子は第１および第２液晶キャパシタＣｌｃａ、Ｃｌｃｂと第１および第２ストレージキャパシタＣｓｔａ、Ｃｓｔｂにそれぞれ接続されている。
【００８６】
第３スイッチング素子Ｑｃも薄膜トランジスタなどの三端子素子であって、制御端子は減圧ゲート線１２３と接続されており、入力端子は第２液晶キャパシタＣｌｃｂと接続されており、出力端子は減圧キャパシタＣｓｔｄと接続されている。
減圧キャパシタＣｓｔｄは、第３スイッチング素子Ｑｃの出力端子と共通電圧に接続されている。
【００８７】
このような画素ＰＸの動作について説明すれば、まず、ゲート線１２１にゲートオン電圧Ｖｏｎが印加されると、これに接続された第１および第２薄膜トランジスタＱａ、Ｑｂがターンオンされる。これにより、データ線１７１のデータ電圧はターンオンされた第１および第２スイッチング素子Ｑａ、Ｑｂを通じて第１および第２液晶キャパシタＣｌｃａ、
Ｃｌｃｂに印加され、第１および第２液晶キャパシタＣｌｃａ、Ｃｌｃｂはデータ電圧Ｖｄと共通電圧Ｖｃｏｍの差に相当する電圧で充電される。このように、ゲート線１２１にゲートオン電圧Ｖｏｎが印加されるとき減圧ゲート線１２３にはゲートオフ電圧Ｖｏｆｆが印加される。
【００８８】
その次に、ゲート線１２１にゲートオフ電圧Ｖｏｆｆが印加されると同時に、減圧ゲート線１２３にゲートオン電圧Ｖｏｎが印加されると、ゲート線１２１に接続された第１および第２スイッチング素子Ｑａ、Ｑｂはターンオフされ、第３スイッチング素子Ｑｃはターンオンされる。これにより、第２スイッチング素子Ｑｂの出力端子と接続された第２液晶キャパシタＣｌｃｂの充電電圧が下降する。
【００８９】
本実施形態による液晶表示装置がフレーム反転で駆動され、現在フレームでデータ線１７１に共通電圧Ｖｃｏｍを基準に極性が正（＋）であるデータ電圧Ｖｄが印加される場合を例として説明すれば、前のフレームが終わった後に減圧キャパシタＣｓｔｄには負（−）の電荷が集まっているようになる。現在フレームで第３スイッチング素子Ｑｃがターンオンされると、第２液晶キャパシタＣｌｃｂの正（＋）の電荷が第３スイッチング素子Ｑｃを通じて減圧キャパシタＣｓｔｄに流入して、減圧キャパシタＣｓｔｄには正（＋）の電荷が集まり、第２液晶キャパシタＣｌｃｂの充電電圧は下降するようになる。次のフレームでは反対に第２液晶キャパシタＣｌｃｂに負（−）の電荷が充電された状態で第３スイッチング素子Ｑｃがターンオンされることによって、第２液晶キャパシタＣｌｃｂの負（−）の電荷が減圧キャパシタＣｓｔｄに流入して、減圧キャパシタＣｓｔｄには負（−）の電荷が集まり、第２液晶キャパシタＣｌｃｂの電圧はまた下降するようになる。
【００９０】
このように本実施形態によれば、データ電圧Ｖｄの極性に関係なく第２液晶キャパシタＣｌｃｂの充電電圧を第１液晶キャパシタＣｌｃａの充電電圧より常に低くなる。したがって第１および第２液晶キャパシタＣｌｃａ、Ｃｌｃｂの充電電圧を異にして液晶表示装置の側面視認性を向上させることができる。
【００９１】
それでは図９および図１０を参照して、図８に示した液晶表示装置の具体的な構造について説明する。
【００９２】
図９および図１０を参照すれば、本実施形態による液晶表示装置は互いに向き合う下部表示板１００と上部表示板２００、これら二つの表示板１００、２００の間に入っている液晶層３を含む。表示板１００、２００の外側面には偏光子（ｐｏｌａｒｉｚｅｒ）（図示せず）を備えることができる。
【００９３】
まず、上部表示板２００について説明すれば、絶縁基板２１０の上に対向電極（ｏｐｐｏｓｉｎｇ  ｅｌｅｃｔｒｏｄｅ）２７０が形成されている。対向電極２７０はＩＴＯ、ＩＺＯなどの透明な導電体または金属などで作ることができる。対向電極２７０の上には配向膜（図示せず）を形成してもよい。
【００９４】
下部表示板１００と上部表示板２００の間に入っている液晶層３は誘電率異方性を有する液晶分子を含み、液晶分子は電場がない状態でその長軸が二つの表示板１００、２００の表面に対して垂直になるように配向される。液晶層３の液晶分子は長軸が第１および第２副画素電極１９１ａ、１９１ｂの微細枝部１９９ａ、１９９ｂの長さ方向にほぼ平行するようにプレチルト（ｐｒｅｔｉｌｔ）を成すようにしてもよい。このために、液晶層３は反応性メソゲン（ｒｅａｃｔｉｖｅ  ｍｅｓｏｇｅｎ）を含む配向補助剤をさらに含んでもよい。
【００９５】
以下、下部表示板１００について説明する。
【００９６】
絶縁基板１１０の上に複数のゲート線１２１、複数の減圧ゲート線１２３および複数の維持電極線１２５を含む複数のゲート導電体が形成されている。
【００９７】
ゲート線１２１および減圧ゲート線１２３は主に横方向に伸びており、ゲート信号を伝達する。ゲート線１２１は上下に突出した第１ゲート電極１２４ａおよび第２ゲート電極１２４ｂを含み、減圧ゲート線１２３は上に突出した第３ゲート電極１２４ｃを含んでもよい。第１ゲート電極１２４ａおよび第２ゲート電極１２４ｂは互いに接続されて一つの突出部を形成してもよい。
【００９８】
維持電極線１２５も主に横方向に伸びることができ、ゲート線１２１の真上に位置することができ、共通電圧Ｖｃｏｍなどの定められた電圧を伝達する。維持電極線１２５は維持拡張部１２６、ゲート線１２１にほぼ垂直に上に伸びた一対の縦部１２８、そして一対の縦部１２８を接続する横部１２７を含んでもよいが、維持電極線１２５の構造はこれに限定されるものではない。
【００９９】
ゲート導電体１２１、１２３、１２５の上にはゲート絶縁膜（ｇａｔｅ  ｉｎｓｕｌａｔｉｎｇ  ｌａｙｅｒ）１４０が形成されている。
【０１００】
ゲート絶縁膜１４０の上にはアモルファスまたは単結晶または多結晶のケイ素などで形成される複数の線状半導体１５１が形成されている。線状半導体１５１は主に縦方向に延長され、第１および第２ゲート電極１２４ａ、１２４ｂに向かって伸びており、互いに接続されている第１および第２半導体１５４ａ、１５４ｂ、そして第２半導体１５４ｂと接続された第３半導体１５４ｃを含んでもよい。
【０１０１】
線状半導体１５１の上には複数の線状の抵抗性接触部材（ｏｈｍｉｃ  ｃｏｎｔａｃｔ）１６１が形成されており、第１半導体１５４ａの上には抵抗性接触部材１６３ａ、１６５ａが形成されており、第２半導体１５４ｂおよび第３半導体１５４ｃの上にもそれぞれ抵抗性接触部材が形成されていてもよい。抵抗性接触部材１６５ａは線状抵抗性接触部材１６１から突出していてもよい。しかし、半導体１５１の種類によって抵抗性接触部材１６１、１６５ａは省略することもできる。
【０１０２】
抵抗性接触部材１６１、１６５ａの上には複数のデータ線１７１、複数の第１ドレイン電極１７５ａ、複数の第２ドレイン電極１７５ｂ、そして複数の第３ドレイン電極１７５ｃを含むデータ導電体が形成されている。
【０１０３】
データ線１７１はデータ信号を伝達し、主に縦方向に延長されてゲート線１２１および減圧ゲート線１２３と交差するようにしてもよい。各データ線１７１は第１ゲート電極１２４ａおよび第２ゲート電極１２４ｂに向かって伸びた第１ソース電極１７３ａおよび第２ソース電極１７３ｂを含んでもよい。
【０１０４】
第１ドレイン電極１７５ａ、第２ドレイン電極１７５ｂおよび第３ドレイン電極１７５ｃは広い一端部と棒状の他端部を含んでもよい。第１ドレイン電極１７５ａおよび第２ドレイン電極１７５ｂの棒状端部は第１ソース電極１７３ａおよび第２ソース電極１７３ｂで一部囲まれている。第２ドレイン電極１７５ｂの広い一端部は、‘Ｕ’字形態に曲げられた第３ソース電極１７３ｃを形成するために伸びる。第３ドレイン電極１７５ｃの広い端部１７７ｃは維持拡張部１２６と重畳して減圧キャパシタＣｓｔｄを成し、棒状端部は第３ソース電極１７３ｃで一部囲まれている。
【０１０５】
第１、第２、第３ゲート電極１２４ａ、１２４ｂ、１２４ｃ、第１、第２、第３ソース電
極１７３ａ、１７３ｂ、１７３ｃおよび第１、第２、第３ドレイン電極１７５ａ、１７５ｂ、１７５ｃは、第１、第２、第３半導体１５４ａ、１５４ｂ、１５４ｃと共に一つの第１、第２、第３薄膜トランジスタ（ｔｈｉｎ  ｆｉｌｍ  ｔｒａｎｓｉｓｔｏｒ、ＴＦＴ）Ｑａ、Ｑｂ、Ｑｃを成し、薄膜トランジスタのチャンネル（ｃｈａｎｎｅｌ）は各ソース電極１７３ａ、１７３ｂ、１７３ｃと各ドレイン電極１７５ａ、１７５ｂ、１７５ｃの間の各半導体１５４ａ、１５４ｂ、１５４ｃに形成される。
【０１０６】
データ導電体１７１、１７５ａ、１７５ｂ、１７５ｃおよび露出された半導体１５４ａ、１５４ｂ、１５４ｃ部分の上には、窒化ケイ素または酸化ケイ素などの無機絶縁物で作ることができる下部保護膜１８０ｐが形成される。
【０１０７】
下部保護膜１８０の上にはカラーフィルタ２３０および遮光部材２２０を配置できる。遮光部材２２０は、第１薄膜トランジスタＱａ、第２薄膜トランジスタＱｂおよび第３薄膜トランジスタＱｃなどが位置する領域を覆う部分およびデータ線１７１に沿って伸びる部分を含んでもよい。遮光部材２２０は、第１薄膜トランジスタＱａおよび第２薄膜トランジスタＱｂの上に位置する開口部２２７、第１ドレイン電極１７５ａの広い端部の上に位置する開口部２２６ａ、第２ドレイン電極１７５ｂの広い端部の上に位置する開口部２２６ｂ、そして、第３薄膜トランジスタＱｃの上に位置する開口部２２８を含んでもよい。これとは異なり、カラーフィルタ２３０および遮光部材２２０のうちの少なくとも一つは上部表示板２００に配置することもできる。
【０１０８】
カラーフィルタ２３０および遮光部材２２０の上には上部保護膜１８０ｑを形成してもよい。
【０１０９】
下部保護膜１８０ｐおよび上部保護膜１８０ｑには第１ドレイン電極１７５ａおよび第２ドレイン電極１７５ｂをそれぞれ露出させる複数の接触孔１８５ａ、１８５ｂが形成されている。接触孔１８５ａ、１８５ｂは、遮光部材２２０の開口部２２６ａ、２２６ｂの中に位置してもよい。
【０１１０】
上部保護膜１８０ｑの上には第１副画素電極１９１ａおよび第２副画素電極１９１ｂを含む画素電極が形成されている。
【０１１１】
第１および第２副画素電極１９１ａ、１９１ｂは列方向に隣接でき、第２副画素電極１９１ｂの高さは第１副画素電極１９１ａの高さより高くてもよい。
【０１１２】
第１副画素電極１９１ａの全体的な形状は四角形であり、外郭を定義する外郭部、その内部の横幹部および縦幹部を含む十字幹部１９５ａ、そして十字幹部１９５ａから外側にななめに伸びる複数の微細枝部１９９ａを含む。隣接した微細枝部１９９ａの間には微細スリット９１ａが位置する。
【０１１３】
第２副画素電極１９１ｂの全体的な形状も四角形であり、外郭を定義する外郭部およびその内部の横幹部および縦幹部を含む十字幹部１９５ｂ、そして十字幹部１９５ｂから外側にななめに伸びる複数の微細枝部１９９ｂを含む。隣接した微細枝部１９９ｂの間には微細スリット９１ｂが位置する。
【０１１４】
第１副画素電極１９１ａおよび第２副画素電極１９１ｂは，おのおの十字幹部１９５ａ、１９５ｂによって四つの副領域に分けられる。図９を参照すれば、第２副画素電極１９１ｂの各副領域は微細枝部１９９ｂの間の間隔が位置によって異なる領域を含んでもよいが、これとは異なり、微細枝部１９９ｂの間の間隔は一定であってもよい。また、第１および第２副画素電極１９１ａ、１９１ｂの具体的な構造は図９に示した例に限定されず多様
に変形でき、各部分の大きさも、液晶層３のセルギャップ、種類および特性などの設計要素によって変更できる。
【０１１５】
第１副画素電極１９１ａは接触孔１８５ａを通じて第１ドレイン電極１７５ａからデータ電圧の印加を受け、第２副画素電極１９１ｂは接触孔１８５ｂを通じて第２ドレイン電極１７５ｂからデータ電圧の印加を受けることができる。
【０１１６】
第１および第２副画素電極１９１ａ、１９１ｂ、そして上部保護膜１８０ｑの上には配向膜（図示せず）を形成してもよい。
【０１１７】
第１および第２副画素電極１９１ａ、１９１ｂは、上部表示板２００の対向電極２７０と共に電場を生成することによって二つの電極１９１、２７０の間の液晶層３の液晶分子の方向を決定する。液晶分子が傾いた程度によって液晶層３に入射された光の偏光の変化程度が変わり、このような偏光の変化は偏光子によって透過率変化として示され、これを通じて液晶表示装置は映像を表示する。
【０１１８】
一方、第１および第２副画素電極１９１ａ、１９１ｂが含む微細枝部１９９ａ、１９９ｂまたは微細スリット９１ａ、９１ｂの辺は電場を歪曲して、微細枝部１９９ａ、１９９ｂまたは微細スリット９１ａ、９１ｂの辺に垂直な水平成分を作り出し、液晶分子の傾斜方向は、水平成分によって決定された方向に決定される。したがって、液晶分子が最初は微細枝部１９９ａ、１９９ｂまたは微細スリット９１ａ、９１ｂの辺に垂直またはほぼ垂直な方向に傾こうとするが、隣接する微細枝部１９９ａ、１９９ｂまたは微細スリット９１ａ、９１ｂの辺による電場の水平成分の方向が反対であり、微細枝部１９９ａ、１９９ｂまたは微細スリット９１ａ、９１ｂの幅が狭いため、互いに反対方向に傾こうとする液晶分子が共に微細枝部１９９ａ、１９９ｂまたは微細スリット９１ａ、９１ｂの長さ方向に平行な方向に傾くようになる。
【０１１９】
本発明の実施形態で第１および第２副画素電極１９１ａ、１９１ｂは微細枝部１９９ａ、１９９ｂの長さ方向が互いに異なる４つの副領域を含むので、液晶層３の液晶分子が傾く方向も全部で４方向になり、液晶表示装置の基準視野角を大きくすることができる。
【０１２０】
第１副画素電極１９１ａと対向電極２７０はその間の液晶層３と共に第１液晶キャパシタＣｌｃａを成し、第２副画素電極１９１ｂと対向電極２７０はその間の液晶層３と共に第２液晶キャパシタＣｌｃｂを成して、第１および第２薄膜トランジスタＱａ、Ｑｂがターンオフされた後にも印加された電圧を維持する。
【０１２１】
第１および第２副画素電極１９１ａ、１９１ｂは、維持電極線１２５と重畳して第１および第２ストレージキャパシタＣｓｔａ、Ｃｓｔｂを成すことができる。
【０１２２】
本実施形態による液晶表示装置の具体的な動作および視認性改善方法は図８を参照した説明による。
【０１２３】
以下、図１１乃至図１３を参照して、本発明の一実施形態による表示装置について説明する。前述の実施形態と同一の構成要素については同一図面符号を付与し、同一の説明は省略する。
【０１２４】
図１１は本発明の一実施形態による表示装置の一つの画素の等価回路図であり、図１２Ａおよび図１２Ｂはそれぞれ本発明の一実施形態による表示装置の一つの画素の平面図であり、図１３は図１２Ａの表示装置のＸＩＩＩ−ＸＩＩＩ線による断面図である。
【０１２５】
まず、図１１を参照すれば、本発明の一実施形態による表示装置は液晶表示装置であって、ゲート信号を伝達するゲート線１２１、データ信号を伝達するデータ線１７１、基準電圧を伝達する基準電圧線１７８を含む信号線とこれに接続された画素ＰＸを含む。
【０１２６】
各画素ＰＸは第１および第２副画素ＰＸａ、ＰＸｂを含む。第１副画素ＰＸａは第１スイッチング素子Ｑａおよび第１液晶キャパシタＣｌｃａを含み、第２副画素ＰＸｂは第２および第３スイッチング素子Ｑｂ、Ｑｃ、そして第２液晶キャパシタＣｌｃｂを含む。
【０１２７】
第１スイッチング素子Ｑａおよび第２スイッチング素子Ｑｂはそれぞれゲート線１２１およびデータ線１７１に接続されており、第３スイッチング素子Ｑｃは第２スイッチング素子Ｑｂの出力端子および基準電圧線１７８に接続されている。
【０１２８】
第１スイッチング素子Ｑａおよび第２スイッチング素子Ｑｂは薄膜トランジスタなどの三端子素子であって、その制御端子はゲート線１２１に接続されており、入力端子はデータ線１７１と接続されており、第１スイッチング素子Ｑａの出力端子は第１液晶キャパシタＣｌｃａに接続されており、第２スイッチング素子Ｑｂの出力端子は第２液晶キャパシタＣｌｃｂおよび第３スイッチング素子Ｑｃの入力端子に接続されている。
【０１２９】
第３スイッチング素子Ｑｃも薄膜トランジスタなどの三端子素子であって、制御端子はゲート線１２１と接続されており、入力端子は第２液晶キャパシタＣｌｃｂと接続されており、出力端子は基準電圧線１７８に接続されている。
【０１３０】
図１１に示した画素ＰＸの動作について説明すれば、まず、ゲート線１２１にゲートオン電圧Ｖｏｎが印加されると、これに接続された第１スイッチング素子Ｑａ、第２スイッチング素子Ｑｂ、そして第３スイッチング素子Ｑｃがターンオンされる。これにより、データ線１７１に印加されたデータ電圧はターンオンされた第１スイッチング素子Ｑａおよび第２スイッチング素子Ｑｂを通じてそれぞれ第１液晶キャパシタＣｌｃａおよび第２液晶キャパシタＣｌｃｂに印加されて、第１液晶キャパシタＣｌｃａおよび第２液晶キャパシタＣｌｃｂはデータ電圧Ｖｄおよび共通電圧Ｖｃｏｍの差に相当する電圧で充電される。このとき、第１液晶キャパシタＣｌｃａおよび第２液晶キャパシタＣｌｃｂには第１および第２スイッチング素子Ｑａ、Ｑｂを通じて同一のデータ電圧Ｖｄが伝達されるが、第２液晶キャパシタＣｌｃｂの充電電圧は第３スイッチング素子Ｑｃを通じて分圧される。したがって、第２液晶キャパシタＣｌｃｂの充電電圧は第１液晶キャパシタＣｌｃａの充電電圧より小さくなるので、二つの副画素ＰＸａ、ＰＸｂの輝度を異ならせることができる。したがって、第１液晶キャパシタＣｌｃａに充電される電圧と第２液晶キャパシタＣｌｃｂの充電される電圧を適切に調節すれば側面から見る映像が正面から見る映像に最大限近くなるようにすることができ、これにより側面視認性を改善してもよい。
【０１３１】
以下、図１２Ａおよび図１３を参考にして、図１１で示した実施形態による液晶表示装置の具体的な構造について説明する。
【０１３２】
図１２Ａおよび図１３を参考にすれば、本実施形態による液晶表示装置は互いに向き合う下部表示板１００と上部表示板２００、これら二つの表示板１００、２００の間に介在されている液晶層３および表示板１００、２００外側面に付着されている一対の偏光子（図示せず）を含んでもよい。
【０１３３】
まず、下部表示板１００について説明すれば、絶縁基板１１０の上にゲート線１２１が位置する。ゲート線１２１は第１ゲート電極１２４ａ、第２ゲート電極１２４ｂ、第３ゲート電極１２４ｃを含む。
【０１３４】
ゲート線１２１の上にゲート絶縁膜１４０が位置し、その上には第１半導体１５４ａ、第２半導体１５４ｂ、および第３半導体１５４ｃが位置する。
【０１３５】
第１半導体１５４ａ、第２半導体１５４ｂ、および第３半導体１５４ｃの上には、複数の抵抗性接触部材１６３ａ、１６５ａ、１６３ｂ、１６５ｂ、１６３ｃ、１６５ｃが位置できる。
【０１３６】
抵抗性接触部材１６３ａ、１６５ａ、１６３ｂ、１６５ｂ、１６３ｃ、１６５ｃおよびゲート絶縁膜１４０の上には第１ソース電極１７３ａおよび第２ソース電極１７３ｂを含む複数のデータ線１７１、第１ドレイン電極１７５ａ、第２ドレイン電極１７５ｂ、第３ソース電極１７３ａおよび第３ドレイン電極１７５ｃ、そして基準電圧線１７８を含むデータ導電体１７１、１７３ｃ、１７５ａ、１７５ｂ、１７５ｃ、１７８が位置する。
【０１３７】
基準電圧線１７８はデータ線１７１とほぼ平行な二つの幹部１７８ａと二つの幹部１７８ａを互いに接続する接続部１７８ｂを含んでもよい。基準電圧線１７８の二つの幹部１７８ａを接続部１７８ｂで接続することによって、基準電圧線１７８に流れる信号の遅延を防止してもよい。しかし、基準電圧線１７８の形状はこれに限定されず多様に変形できる。
【０１３８】
第１ゲート電極１２４ａ、第１ソース電極１７３ａ、および第１ドレイン電極１７５ａは第１半導体１５４ａと共に第１薄膜トランジスタＱａを形成し、第２ゲート電極１２４ｂ、第２ソース電極１７３ｂ、および第２ドレイン電極１７５ｂは第２半導体１５４ｂと共に第２薄膜トランジスタＱｂを形成し、第３ゲート電極１２４ｃ、第３ソース電極１７３ｃ、および第３ドレイン電極１７５ｃは第３半導体１５４ｃと共に第３薄膜トランジスタＱｃを形成してもよい。
【０１３９】
データ導電体１７１、１７３ｃ、１７５ａ、１７５ｂ、１７５ｃ、１７７および露出された半導体１５４ａ、１５４ｂ、１５４ｃ部分の上には、保護膜１８０を配置できる。保護膜１８０は、第１ドレイン電極１７５ａおよび第２ドレイン電極１７５ｂを露出させる複数の接触孔１８５ａ、１８５ｂを含んでもよい。
【０１４０】
保護膜１８０の上には第１副画素電極１９１ａおよび第２副画素電極１９１ｂを含む画素電極１９１が位置する。
【０１４１】
画素電極１９１はゲート線１２１に平行な第１辺とデータ線１７１と平行な第２辺を含んでもよい。ゲート線１２１と平行な第１辺は、データ線１７１と平行な第２辺より長くてもよい。この場合、表示板３００に位置するデータ線１７１の数を減らすことができるので、データ駆動部５００が含むデータ駆動回路用チップの個数を減らすことができる。
【０１４２】
第１副画素電極１９１ａと第２副画素電極１９１ｂは横方向に隣接させてもよい。第１および第２副画素電極１９１ａ、１９１ｂのそれぞれは十字幹部１９５および複数の微細枝部１９９を含んでもよい。
【０１４３】
第１副画素電極１９１ａおよび第２副画素電極１９１ｂは、接触孔１８５ａ、１８５ｂを通じてそれぞれ第１ドレイン電極１７５ａおよび第２ドレイン電極１７５ｂと物理的、電気的に接続されており、第１ドレイン電極１７５ａおよび第２ドレイン電極１７５ｂからデータ電圧の印加を受けることができる。この時、第２ドレイン電極１７５ｂに印加されたデータ電圧のうちの一部は、第３ソース電極１７３ｃを通じて分圧され、第２副画素電極１９１ｂに印加される電圧の大きさは、第１副画素電極１９１ａに印加される電圧の大きさより小さくてもよい。
【０１４４】
第２副画素電極１９１ｂの面積は第１副画素電極１９１ａの面積より大きいか同じであってもよい。
【０１４５】
一方、基準電圧線１７８に印加される電圧は共通電圧Ｖｃｏｍより大きくても良く、その差の絶対値は１Ｖ乃至４Ｖあってもよい。
【０１４６】
その次に上部表示板２００について説明すれば、絶縁基板２１０の上に遮光部材２２０およびカラーフィルタ２３０を配置してもよい。遮光部材２２０とカラーフィルタ２３０のうちの少なくとも一つは下部表示板１００に配置することもできる。
【０１４７】
カラーフィルタ２３０および遮光部材２２０の上には蓋膜（ｏｖｅｒｃｏａｔ）２５０が位置できるが、蓋膜２５０は省略できる。
【０１４８】
蓋膜２５０の上には対向電極２７０が形成されている。
【０１４９】
表示板１００、２００の両側面には配向膜が形成されており、これらは垂直配向膜であってもよい。
【０１５０】
液晶分子３１を含む液晶層３および画素ＰＸの映像表示方法は前述の実施形態と類似しているので、ここで詳しい説明は省略する。
【０１５１】
図１２Ｂを参照すれば、本発明の一実施形態による表示装置は前述の図１２Ａに示した実施形態と大部分同一であるが、ゲート線１２１は横方向に伸び、データ線１７１は縦方向に伸びてゲート線１２１と交差してもよい。
【０１５２】
また、画素電極１９１の辺のうちゲート線１２１にほぼ平行な辺は、データ線１７１にほぼ平行な辺より短くてもよい。第１副画素電極１９１ａと第２副画素電極１９１ｂは縦方向に隣接させてもよい。
【０１５３】
以下、図１４を参照して本発明の一実施形態による表示装置について説明する。
【０１５４】
図１４を参照すれば、本発明の一実施形態による表示装置は、第１および第２データ線１７１ａ、１７１ｂとゲート線１２１を含む信号線と、これに接続された画素ＰＸを含む。
【０１５５】
各画素ＰＸは第１および第２副画素ＰＸａ、ＰＸｂを含む。第１副画素ＰＸａは第１スイッチング素子Ｑａ、第１液晶キャパシタＣｌｃａおよび第１ストレージキャパシタＣｓｔａを含み、第２副画素ＰＸｂは第２スイッチング素子Ｑｂ、第２液晶キャパシタＣｌｃｂおよび第２ストレージキャパシタＣｓｔｂを含む。
【０１５６】
第１スイッチング素子Ｑａは、ゲート線１２１に接続された制御端子および第１データ線１７１ａに接続された入力端子を含む。第１スイッチング素子Ｑａの出力端子は第１液晶キャパシタＣｌｃａおよび第１ストレージキャパシタＣｓｔａと接続されている。
【０１５７】
第２スイッチング素子Ｑｂは、ゲート線１２１に接続された制御端子および第２データ線１７１ｂに接続された入力端子を含む。第２スイッチング素子Ｑｂの出力端子は第２液晶キャパシタＣｌｃｂおよび第２ストレージキャパシタＣｓｔｂと接続されている。
【０１５８】
第１液晶キャパシタＣｌｃａおよび第２液晶キャパシタＣｌｃｂは、互いに異なるデータ線１７１ａ、１７１ｂに接続された第１および第２スイッチング素子Ｑａ、Ｑｂを通じて
、一つの入力映像信号ＩＤＡＴに対する互いに異なるデータ電圧Ｖｄの印加をそれぞれ受けてもよい。
【０１５９】
その次に図１５を参照すれば、本実施形態による表示装置は、データ線１７１と第１および第２ゲート線１２１ａ、１２１ｂを含む信号線と、これに接続された画素ＰＸを含む。各画素ＰＸは第１および第２副画素ＰＸａ、ＰＸｂを含む。
【０１６０】
第１副画素ＰＸａが含む第１スイッチング素子Ｑａは、第１ゲート線１２１ａに接続された制御端子およびデータ線１７１に接続された入力端子を含む。第１スイッチング素子Ｑａの出力端子は、第１液晶キャパシタＣｌｃａおよび第１ストレージキャパシタＣｓｔａと接続されている。
【０１６１】
第２スイッチング素子Ｑｂは、第２ゲート線１２１ｂに接続された制御端子およびデータ線１７１に接続された入力端子を含む。第２スイッチング素子Ｑｂの出力端子は第２液晶キャパシタＣｌｃｂおよび第２ストレージキャパシタＣｓｔｂと接続されている。
【０１６２】
第１液晶キャパシタＣｌｃａおよび第２液晶キャパシタＣｌｃｂは、互いに異なるゲート線１２１ａ、１２１ｂに接続されている第１および第２スイッチング素子Ｑａ、Ｑｂを通じて、データ線１７１が伝達する一つの入力映像信号ＩＤＡＴに対する互いに異なるデータ電圧Ｖｄの印加を異なる時間に受けることができる。
【０１６３】
その次に図１６を参照すれば、本実施形態による表示装置は、データ線１７１とゲート線１２１を含む信号線と、これに接続された画素ＰＸを含む。各画素ＰＸは第１および第２副画素ＰＸａ、ＰＸｂと二つの副画素ＰＸａ、ＰＸｂの間に接続されている結合キャパシタＣｃｐを含んでもよい。
【０１６４】
第１副画素ＰＸａはゲート線１２１およびデータ線１７１に接続されているスイッチング素子Ｑと、これに接続された第１液晶キャパシタＣｌｃａおよび第１ストレージキャパシタＣｓｔａを含み、第２副画素ＰＸｂは結合キャパシタＣｃｐと接続されている第２液晶キャパシタＣｌｃｂを含む。
【０１６５】
スイッチング素子Ｑの制御端子はゲート線１２１と接続されており、入力端子はデータ線１７１と接続されており、出力端子は第１液晶キャパシタＣｌｃａ、第１ストレージキャパシタＣｓｔａおよび結合キャパシタＣｃｐと接続されている。スイッチング素子Ｑはゲート線１２１からのゲート信号によってデータ線１７１のデータ電圧Ｖｄを第１液晶キャパシタＣｌｃａおよび結合キャパシタＣｃｐに伝達し、結合キャパシタＣｃｐはこの電圧の大きさを変えて第２液晶キャパシタＣｌｃｂに伝達する。第１液晶キャパシタＣｌｃａに充電された電圧Ｖａと第２液晶キャパシタＣｌｃｂに充電された電圧Ｖｂは次のような関係を有する。
Ｖｂ＝Ｖａ×［Ｃｃｐ／（Ｃｃｐ＋Ｃｌｃｂ）］
【０１６６】
ここで、Ｃｃｐは結合キャパシタＣｃｐの静電容量、Ｃｌｃｂは第２液晶キャパシタＣｌｃｂの静電容量である。したがって、第２液晶キャパシタＣｌｃｂに充電された電圧Ｖｂは第１液晶キャパシタＣｌｃａに充電された電圧Ｖａに比べて常に小さくしてもよい。結合キャパシタＣｃｐの静電容量を適切に調節すれば、第１液晶キャパシタＣｌｃａの充電電圧Ｖａと第２液晶キャパシタＣｌｃｂの充電電圧Ｖｂの比率を調節して、側面視認性を向上させることができる。
【０１６７】
それでは、前述のいろいろな実施形態による表示装置の駆動方法のいろいろな例について、図１７乃至図２４を参照して説明する。
【０１６８】
図１７乃至図２４はそれぞれ本発明の一実施形態による表示装置の駆動方法を示すタイミング図である。
【０１６９】
本発明の一実施形態による表示装置は、前述の第１および第２ガンマ曲線ＧＨ、ＧＬを利用して側面視認性を向上してもよい。しかしこれに限定されず、三つ以上の異なるガンマ曲線を利用することもできる。
【０１７０】
まず、図１７および図１８を参照すれば、本発明の一実施形態による表示装置が３Ｄモードで動作する場合、統合制御部７００は、３Ｄモードで動作できるようにする３Ｄイネーブル信号３Ｄ_ｅｎを信号制御部６００に入力し、入力映像信号ＩＤＡＴを信号制御部６
００に伝送する。３Ｄモードで入力映像信号ＩＤＡＴはあらかじめ定まった映像周波数によって入力される。映像周波数は、出力周波数とも言われるが、実施形態によると、映像周波数は、入力映像信号ＩＤＡＴに対する１つの映像が２つかそれ以上連続したフレーム（フレームセットとして呼ばれる）で表示される周波数である。  また、実施形態によると、映像周波数は、フレーム周波数の１/ｎ（ｎは２かそれ以上の自然数）であってもよ
く、そこでは、データ駆動部５００がデータ電圧Ｖｄをデータ線Ｄ１からＤｍに対して出力する。例えば、フレーム周波数が１２０Ｈｚのとき、映像周波数は６０Ｈｚ、８０Ｈｚ、１２０Ｈｚなどであってもよく、左眼入力映像信号と右眼入力映像信号を含んでもよい。
【０１７１】
信号制御部６００は、入力映像信号ＩＤＡＴを表示板３００の動作条件に合うように処理して、出力映像信号ＤＡＴを生成する。出力映像信号ＤＡＴは、左眼映像信号Ｌおよび右眼映像信号Ｒを含み、左眼映像信号Ｌおよび右眼映像信号Ｒはデータ駆動部５００に交互に出力される。データ駆動部５００は、一つの行の画素ＰＸに対する出力映像信号ＤＡＴおよび階調電圧生成部８００からの階調電圧に基づいてデータ電圧Ｖｄを生成する。
【０１７２】
連続した左眼映像信号Ｌおよび右眼映像信号Ｒに対応するデータ電圧Ｖｄが入力される一つのフレームセットは、二つ以上のガンマ曲線によるデータ電圧を含む。
【０１７３】
図１７および図１８は、左眼映像信号Ｌが第１ガンマ曲線ＧＨによる第１左眼データ電圧Ｌ−ｈｉと第２ガンマ曲線ＧＬによる第２左眼データ電圧Ｌ−ｌｏに変換され、右眼映像信号Ｒが第１ガンマ曲線ＧＨによる第１右眼データ電圧Ｒ−ｈｉと第２ガンマ曲線ＧＬによる第２右眼データ電圧Ｒ−ｌｏに変換される例を示す。ここで、第１ガンマ曲線ＧＨと第２ガンマ曲線ＧＬは互いに異なるガンマ値を有するガンマ曲線である。図１７および図１８に示したものとは異なり、左眼映像信号Ｌおよび右眼映像信号Ｒのそれぞれは第１ガンマ曲線ＧＨ、第２ガンマ曲線ＧＬおよび第３ガンマ曲線ＧＭによるデータ電圧に変換されて、一つのフレームセットの間に表示されることもできる。
【０１７４】
各データ電圧Ｖｄは前述のフレーム周波数で表示板３００のデータ線Ｄ１−Ｄｍに入力され、各データ電圧Ｖｄが列方向Ｄ２に沿って順次に対応する画素ＰＸに入力されると、一つのフレーム（１  Ｆｒａｍｅ）の映像が表示される。第１左眼データ電圧Ｌ−ｈｉが入力された画素ＰＸは第１左眼映像を表示し、第２左眼データ電圧Ｌ−ｌｏが入力された画素ＰＸは第２左眼映像を表示し、第１右眼データ電圧Ｒ−ｈｉが入力された画素ＰＸは第１右眼映像を表示し、第２右眼データ電圧Ｒ−ｌｏが入力された画素ＰＸは第２右眼映像を表示する。
【０１７５】
左眼映像信号Ｌに対する第１左眼映像と第２左眼映像の表示順序および右眼映像信号Ｒに対する第１右眼映像と第２右眼映像の表示順序は、多様に変えることができる。図１７および図１８は、左眼映像信号Ｌに対する左眼データ電圧Ｌ−ｈｉ、Ｌ−ｌｏが従うガンマ
曲線の適用順序と、右眼映像信号Ｒに対する右眼データ電圧Ｒ−ｈｉ、Ｒ−ｌｏが従うガンマ曲線の適用順序が同一である例を示す。
【０１７６】
本発明の一実施形態による表示装置がバックライト９００を含む場合、バックライト（ＢＬＵ）９００の発光期間ＯＮは、画素ＰＸに第２左眼データ電圧Ｌ−ｌｏまたは第２右眼データ電圧Ｒ−ｌｏが入力された後、第１時間ｔ１後に開始して、データ電圧Ｖｄの入力完了後、第２時間ｔ２後に終了される。ここで、第１時間ｔ１および第２時間ｔ２は表示装置の応答速度を考慮して適切に調節される。
【０１７７】
本発明の一実施形態によれば、バックライト９００の発光期間ＯＮの大部分が第２左眼データ電圧Ｌ−ｌｏまたは第２右眼データ電圧Ｒ−ｌｏの入力期間と重畳しているが、表示板３００の応答速度を考慮すれば、バックライト９００の発光期間ＯＮは第１左眼データ電圧Ｌ−ｈｉまたは第１右眼データ電圧Ｒ−ｈｉの入力期間と重畳してもよい。したがって、左眼映像信号Ｌおよび右眼映像信号Ｒのそれぞれに対して第１ガンマ曲線ＧＨによる映像と第２ガンマ曲線ＧＬによる映像が連続して見られるので、３Ｄ映像の側面視認性を向上させるようにしてもよい。
【０１７８】
しかし、バックライト９００の発光期間ＯＮの位置および時間は、液晶の応答速度など表示板３００の様々な特性、目標とするクロストークの程度、側面視認性および輝度等を考慮して適切に調節される。
【０１７９】
本発明の一実施形態によれば、視認性を向上させるために液晶分子の下向きの応答速度を速くする必要がある。例えば、映像が高輝度から低輝度に変化する時、二つの輝度の差が９９％から１％まで変化する場合の液晶分子の下向きの応答速度は、フレーム周波数が２４０Ｈｚである時に４．１７ｍｓ以下であり、フレーム周波数が１２０Ｈｚであるときに８．３ｍｓ以下であってもよい。
【０１８０】
立体映像変換部６０がシャッター眼鏡を含む場合、シャッター眼鏡の左眼シャッターの開放期間Ｌｅｆｔ−Ｏｎは第２左眼映像が表示される期間に対応したバックライト９００の発光期間ＯＮと少なくとも一部重畳させてもよく、シャッター眼鏡の右眼シャッターの開放期間Ｒｉｇｈｔ−Ｏｎは第２右眼映像が表示される期間に対応したバックライト９００の発光期間ＯＮと少なくとも一部重畳してもよい。さらに具体的に、右眼シャッターまたは左眼シャッターの開放期間Ｌｅｆｔ−Ｏｎ、Ｒｉｇｈｔ−Ｏｎの開始点は対応するバックライト９００の発光期間ＯＮの開始点より第３時間ｔ３早い位置にしてもよく、終了点は対応するバックライト９００の発光期間ＯＮの終了点より第４時間ｔ４遅く位置してもよい。
【０１８１】
このように表示板３００およびバックライト９００によって第１左眼映像および第２左眼映像が表示される間に左眼シャッターを開け、第１右眼映像および第２右眼映像が表示される間に右眼シャッターを開けて、第１および第２左眼映像と第１および第２右眼映像を区別して見ることができ、観察者は３Ｄ映像を認識してもよい。
【０１８２】
図１９および図２０を参照すれば、本実施形態は、図１７および図１８に示した実施形態と大部分同一であるが、バックライト９００は複数のブロックに区分されて、表示板３００のゲート信号のスキャニングによって順次に点灯できる。
【０１８３】
図１９を参照すれば、バックライト９００の各発光期間ＯＮは、対応する表示板３００の画素ＰＸに第２左眼データ電圧Ｌ−ｌｏまたは第２右眼データ電圧Ｒ−ｌｏが入力された後、第１時間ｔ１後に開始して、データ電圧Ｖｄの入力完了後、第２時間ｔ２後に終了できる。しかしこれに限定されず、図２０に示したように、バックライト９００の各ブロッ
クの発光期間ＯＮは第１左眼データ電圧Ｌ−ｈｉまたは第１右眼データ電圧Ｒ−ｈｉの入力期間と少なくとも一部分重畳することもできる。この時、バックライト９００の発光期間ＯＮの開始点と第２左眼データ電圧Ｌ−ｌｏまたは第２右眼データ電圧Ｒ−ｌｏの入力開始点の間の間隔は第１時間ｔ１としてもよい。
【０１８４】
立体映像変換部６０がシャッター眼鏡を含む場合、シャッター眼鏡の左眼シャッターまたは右眼シャッターは、該当するバックライト９００の発光期間ＯＮのスキャニング時間と重畳する開放時間Ｌｅｆｔ−Ｏｎ、Ｒｉｇｈｔ−Ｏｎの間に開かれて、第１および第２左眼映像と第１および第２右眼映像を区別して見ることができる。
【０１８５】
本発明の様々な実施形態によれば、連続する左眼映像信号Ｌおよび右眼映像信号Ｒに対して表示される複数のフレームは第２ガンマ曲線ＧＬによる映像を連続して表示する二つのフレームを含む。
【０１８６】
特に図２１および図２２を参照すれば、左眼映像信号Ｌに対する左眼データ電圧Ｌ−ｈｉおよびＬ−ｌｏに対応するガンマ曲線の適用順序が、右眼映像信号Ｒに対する右眼データ電圧Ｒ−ｈｉおよびＲ−ｌｏに対応するガンマ曲線の適用順序と反対になってもよい。
【０１８７】
図２１および図２２を参照すれば、左眼映像信号Ｌに対して第１左眼データ電圧Ｌ−ｈｉが先に入力され、第２左眼データ電圧Ｌ−ｌｏは後に入力される場合、右眼映像信号Ｒに対しては第２右眼データ電圧Ｒ−ｌｏが先に入力され、第１右眼データ電圧Ｒ−ｈｉは後に入力できる。また、左眼映像信号Ｌに対して第２左眼データ電圧Ｌ−ｌｏが先に入力され、第１左眼データ電圧Ｌ−ｈｉは後に入力される場合、右眼映像信号Ｒに対しては第１右眼データ電圧Ｒ−ｈｉが先に入力され、第２右眼データ電圧Ｒ−ｌｏは後に入力できる。
【０１８８】
一つの右眼映像信号Ｒを介して隣接する二つの左眼映像信号Ｌに対する第１左眼データ電圧Ｌ−ｈｉと第２左眼データ電圧Ｌ−ｌｏの入力順序は、図２１および図２２に示したように一定であっても良く、図２３および図２４に示したように互いに逆であってもよい。これは、一つの左眼映像信号Ｌを介して隣接する二つの右眼映像信号Ｒに対する場合でも同様である。例えば、実施形態によると、２つの隣接する左眼映像信号Ｌの間の２つの隣接する右眼映像Ｌのための第１右眼電圧Ｒ-Ｈｉと第２右眼電圧Ｒ-ｌｏの入力順序は、一定でも、反対でもよい。
【０１８９】
バックライト９００の発光期間ＯＮは、左眼映像信号Ｌに対しては第２左眼映像表示期間と大部分重畳し、右眼映像信号Ｒに対しては第１右眼映像表示期間と大部分重畳してもよい。この場合、左眼映像信号Ｌに対しては第２ガンマ曲線ＧＬによる映像が大部分視認され、右眼映像信号Ｒに対しては第１ガンマ曲線ＧＨによる映像が大部分視認できる。したがって、左眼および右眼が互いに異なるガンマ特性による映像を視認するようになる。これを防止するために、左眼用ガンマ曲線および右眼用ガンマ曲線として別途に設ける必要がある。たとえば、第１ガンマ曲線ＧＨは互いに異なる左眼用第１ガンマ曲線および右眼用ガンマ曲線を含んでもよく、第２ガンマ曲線ＧＬも互いに異なる左眼用第２ガンマ曲線および右眼用ガンマ曲線を含んでもよい。この場合、左眼用第２ガンマ曲線と右眼用第１ガンマ曲線の特性は互いに類似していて良く、左眼用第１ガンマ曲線と右眼用第２ガンマ曲線の特性は互いに類似していてもよい。
【０１９０】
図２３および図２４を参照すれば、一対の連続した左眼映像信号Ｌおよび右眼映像信号Ｒを表示する連続した二つのフレームセットのうちの少なくとも三つのフレームの間には第２ガンマ曲線ＧＬによるデータ電圧Ｖｄが表示板３００に入力できる。この時、各フレームセットで第２ガンマ曲線ＧＬによるデータ電圧Ｖｄが入力される時期は互いに異なって
もよい。本実施形態でも連続する左眼映像信号Ｌおよび右眼映像信号Ｒに対して表示される複数のフレームは第２ガンマ曲線ＧＬによる映像を連続して表示する二つのフレームを含む。
【０１９１】
図２３および図２４を参照すれば、左眼映像信号Ｌに対して連続した二つのフレームで第１左眼データ電圧Ｌ−ｈｉと第２左眼データ電圧Ｌ−ｌｏが入力されると、右眼映像信号Ｒに対しては連続した二つのフレームの間に第２右眼データ電圧Ｒ−ｌｏが入力できる。この時、隣接した左眼映像信号Ｌに対して第１左眼データ電圧Ｌ−ｈｉおよび第２左眼データ電圧Ｌ−ｌｏの入力順序は互いに異なってもよい。同様に、左眼映像信号Ｌの連続した二つのフレームの両方で第２左眼データ電圧Ｌ−ｌｏが入力されると、右眼映像信号Ｒに対しては第１右眼データ電圧Ｒ−ｈｉと第２右眼データ電圧Ｒ−ｌｏが連続して入力できる。この時、隣接した右眼映像信号Ｒに対する第１右眼データ電圧Ｒ−ｈｉおよび第２右眼データ電圧Ｒ−ｌｏの入力順序は互いに異なってもよい。
【０１９２】
さらに具体的に説明すれば、最初の連続した左眼映像信号Ｌおよび右眼映像信号Ｒに対して第１左眼映像、第２左眼映像、第２右眼映像および第２右眼映像が順次に入力され、その次の連続した左眼映像信号Ｌおよび右眼映像信号Ｒに対して第２左眼映像、第１左眼映像、第２右眼映像および第２右眼映像が順次に入力され、その次の連続した左眼映像信号Ｌおよび右眼映像信号Ｒに対して第２左眼映像、第２左眼映像、第１右眼映像および第２右眼映像が順次に入力され、その次の連続した左眼映像信号Ｌおよび右眼映像信号Ｒに対して第２左眼映像、第２左眼映像、第２右眼映像および第１右眼映像が順次に入力でき、これは以後継続して反復される２３４。
【０１９３】
本実施形態によれば、連続した二つのフレームセットで第１ガンマ曲線ＧＨによるデータ電圧Ｖｄの入力回収と、第２ガンマ曲線ＧＬによるデータ電圧Ｖｄの入力回収の比がほぼ１：３になり、第２ガンマ曲線ＧＬによる映像がさらに多く視認できる。したがって、３Ｄモードの側面視認性がさらに向上してもよい。本実施形態の場合、フリッカー防止のために４８０Ｈｚ以上のフレーム周波数を適用してもよい。
【０１９４】
以下、図２５乃至図３５を参照して本発明の様々な実施形態による表示装置の駆動方法について説明する。前述の実施形態と同一の構成要素については同一の図面符号を付与し、同一の説明は省略するが、これは以後の実施形態に関する説明でも同様である。
【０１９５】
図２５は本発明の一実施形態による表示装置が含む画素の簡略な配置図であり、図２６乃至図３５はそれぞれ本発明の一実施形態による３Ｄ映像を表示できる表示装置の駆動方法を示すタイミングの図面である。
【０１９６】
図２５を参照すれば、本発明の一実施形態による表示装置の表示板３００は、複数の画素ＰＸを含み、複数の画素ＰＸは行方向Ｄ１または列方向Ｄ２に隣接する第１画素ＰＸ１および第２画素ＰＸ２を含む。
【０１９７】
図２６乃至図３５を参照すれば、連続した二つのフレームセットの間に互いに異なるガンマ曲線によるデータ電圧Ｖｄが入力される場合、第１画素ＰＸ１に入力されるデータ電圧Ｖｄに適用されたガンマ曲線と、第２画素ＰＸ２に入力されるデータ電圧Ｖｄに適用されるガンマ曲線は互いに異なってもよい。つまり、第１画素ＰＸ１に入力されるデータ電圧Ｖｄが第１ガンマ曲線ＧＨによる場合、第２画素ＰＸ２に入力されるデータ電圧Ｖｄは第２ガンマ曲線ＧＬによっても良く、その反対であってもよい。したがって、毎フレームが一つのガンマ曲線による映像を表示する場合に比べて、輝度差によって発生するフリッカーなどの表示不良を無くすことができる。
【０１９８】
図２６および図２７を参照すれば、本実施形態は、前述の図１７乃至図２０に示した実施形態の駆動方法と大部分が同一である。しかし、一つの画素ＰＸ１、ＰＸ２について見てみると、一対の連続した左眼映像信号Ｌおよび右眼映像信号Ｒに対して、第１ガンマ曲線ＧＨ、第２ガンマ曲線ＧＬ、第１ガンマ曲線ＧＨおよび第２ガンマ曲線ＧＬの順序でガンマ曲線が適用されると、次の一対の連続した左眼映像信号Ｌおよび右眼映像信号Ｒに対しては第２ガンマ曲線ＧＬ、第１ガンマ曲線ＧＨ、第２ガンマ曲線ＧＬおよび第１ガンマ曲線ＧＨの順序でガンマ曲線が適用できる。これによれば、バックライト９００の発光期間ＯＮが各フレームセットの最後のフレームの表示期間と大部分重畳する場合、第２ガンマ曲線ＧＬによる第２左眼データ電圧Ｌ−ｌｏおよび第２右眼データ電圧Ｒ−ｌｏを視認した後、第１ガンマ曲線ＧＨによる第１左眼データ電圧Ｌ−ｈｉおよび第１右眼データ電圧Ｒ−ｈｉを視認することができるので、一つの画素ＰＸ１、ＰＸ２に対する側面視認性を向上させることができる。
【０１９９】
図２８および図２９を参照すれば、本実施形態は、前述の図２１および図２２に示した実施形態の駆動方法と大部分が同一である。しかし、一つの画素ＰＸ１、ＰＸ２に対して見てみると、一対の連続した左眼映像信号Ｌおよび右眼映像信号Ｒに対して第１ガンマ曲線ＧＨ、第２ガンマ曲線ＧＬ、第２ガンマ曲線ＧＬおよび第１ガンマ曲線ＧＨの順序でガンマ曲線が適用されると、次の一対の連続した左眼映像信号Ｌおよび右眼映像信号Ｒに対しては第２ガンマ曲線ＧＬ、第１ガンマ曲線ＧＨ、第１ガンマ曲線ＧＨおよび第２ガンマ曲線ＧＬの順序でガンマ曲線が適用できる。これによれば、バックライト９００の発光期間ＯＮが各フレームセットの最後のフレームの表示期間と大部分重畳する場合、左眼映像信号Ｌおよび右眼映像信号Ｒの両方ともに対して第１ガンマ曲線ＧＨによるデータ電圧Ｌ−ｈｉ、Ｒ−ｈｉおよび第２ガンマ曲線ＧＬによるデータ電圧Ｌ−ｌｏ、Ｒ−ｌｏが連続して表示できるので、一つの画素ＰＸ１、ＰＸ２に対する３Ｄ映像の側面視認性を向上させることができる。また、左眼映像信号Ｌおよび右眼映像信号Ｒに対して同一の第１ガンマ曲線ＧＨおよび第２ガンマ曲線ＧＬを適用してもよい。
【０２００】
図３０および図３１を参照すれば、本実施形態による駆動方法は、前述の図２３および図２４に示した実施形態の駆動方法と大部分同一である。しかし、一対の連続した左眼映像信号Ｌおよび右眼映像信号Ｒに対して第１画素ＰＸ１に入力されるデータ電圧Ｖｄが従う第１ガンマ曲線ＧＨおよび第２ガンマ曲線ＧＬの順序と、第２画素ＰＸ２に入力されるデータ電圧Ｖｄが従う第１ガンマ曲線ＧＨおよび第２ガンマ曲線ＧＬの順序とは互いに異なってもよい。また、第１画素ＰＸ１が第１ガンマ曲線ＧＨによる第１左眼映像を表示する時、第２画素ＰＸ２は第２ガンマ曲線ＧＬによる第２左眼映像を表示することができ、その反対も可能であるよい。
【０２０１】
図３２および図３３を参照すれば、一対の連続した左眼映像信号Ｌおよび右眼映像信号Ｒに対するデータ電圧Ｖｄは第１ガンマ曲線ＧＨによるものと第２ガンマ曲線ＧＬによるものを含むが、一つのフレームセットに表示板３００に入力されるデータ電圧Ｖｄは同一のガンマ曲線によってもよい。また、二つのフレームセットの間に適用されるガンマ曲線の順序はその次の二つのフレームセットの間に適用されるガンマ曲線の順序と反対であってもよい。
【０２０２】
具体的に、一対の連続した左眼映像信号Ｌおよび右眼映像信号Ｒに対して第１左眼データ電圧Ｌ−ｈｉを二つのフレームの間に連続して入力し、第２右眼データ電圧Ｒ−ｌｏを二つのフレームの間に連続して入力した後、次の一対の連続した左眼映像信号Ｌおよび右眼映像信号Ｒに対しては第２左眼データ電圧Ｌ−ｌｏを二つのフレームの間に連続して入力し、第１右眼データ電圧Ｒ−ｈｉを二つのフレームの間に連続して入力してもよい。これによれば、連続した左眼映像信号Ｌが互いに異なるガンマ曲線によってデータ電圧Ｖｄに変換されて表示され、連続した右眼映像信号Ｒも互いに異なるガンマ曲線によってデータ
電圧Ｖｄに変換されて表示されるので、３Ｄ映像の側面視認性をさらに向上させてもよい。
【０２０３】
図３４および図３５を参照すれば、本実施形態による駆動方法は前述の実施形態とは異なり、左眼映像信号Ｌまたは右眼映像信号Ｒに対する映像を表示する一つのフレームセットの間に適用されるガンマ曲線は一つであっても良く、一つのフレームセットは一つのフレームのみを含んでもよい。また、一対の連続した左眼映像信号Ｌおよび右眼映像信号Ｒに対して同一のガンマ曲線が適用できる。
【０２０４】
具体的に一つの画素ＰＸ１、ＰＸ２に対して見てみると、一つの左眼映像信号Ｌに対して表示板３００に第１左眼映像データ電圧Ｌ−ｈｉを入力し、右眼映像信号Ｒに対して第１右眼映像データ電圧Ｒ−ｈｉを入力した後、次の左眼映像信号Ｌに対して第２左眼映像データ電圧Ｌ−ｌｏを入力し、右眼映像信号Ｒに対して第２右眼映像データ電圧Ｒ−ｌｏを順次に入力してもよい。この時、互いに隣接する二つの画素ＰＸ１、ＰＸ２に適用されるガンマ曲線は互いに異なる。
【０２０５】
本実施形態でバックライト９００の発光期間ＯＮは、各データ電圧Ｖｄの入力期間の後半部の一部と重畳することができ、次のフレームのデータ電圧Ｖｄの入力期間の初めの部分とも重畳してもよい。
【０２０６】
以下、図３６乃至図４７を参照して、図２５に示した画素ＰＸ１、ＰＸ２を含む本発明の一実施形態による表示装置の駆動方法の例について説明する。図３６乃至図４７では‘Ｈ’は第１ガンマ曲線ＧＨによる第１映像を示し、‘Ｌ’は第２ガンマ曲線ＧＬによる第２映像を示し、‘Ｍ’は第３ガンマ曲線ＧＭによる第３映像を示すことにする。
【０２０７】
図３６乃至図４７はそれぞれ本発明の一実施形態による表示装置の画素に適用されるガンマ曲線による輝度をフレーム順序によって示した図面である。
【０２０８】
本発明の一実施形態による表示装置の第１画素ＰＸ１および第２画素ＰＸ２は行方向または列方向に隣接する。第１画素ＰＸ１および第２画素ＰＸ２は連続した二つ以上のフレームを一つのフレームセットにして、左眼映像信号Ｌおよび右眼映像信号Ｒに該当する映像を交互に表示してもよい。図３６乃至図４７は例えば四つのフレームセットを示し、各フレームセットは連続した二つのフレーム１Ｆ−２Ｆ、３Ｆ−４Ｆ、５Ｆ−６Ｆ、７Ｆ−８Ｆを含んでもよい。
【０２０９】
一つの画素ＰＸ１、ＰＸ２が含む第１および第２副画素ＰＸａ、ＰＸｂは互いに異なるガンマ曲線による映像を表示することもでき、互いに同一であるガンマ曲線による映像を表示することもできる。この時、ガンマ曲線は多様であってもよい。例えば、前述の図５または図６に示したガンマ曲線であってもよい。本実施形態についての説明では図５および図６に示したガンマ曲線を例に挙げて説明する。
【０２１０】
まず、図３６を参照すれば、一つのフレームセット１Ｆ、２Ｆが含む二つのフレームのうちの一つで、第１画素ＰＸ１の第１副画素ＰＸａは第１ガンマ曲線ＧＨによる第１映像Ｈを表示し、第２副画素ＰＸｂは第３ガンマ曲線ＧＭによる第３映像Ｍを表示することができ、残り一つのフレームで第１画素ＰＸ１の第１副画素ＰＸａは第２ガンマ曲線ＧＬによる第２映像Ｌを表示し、第２副画素ＰＸｂも第２映像Ｌを表示してもよい。次のフレームセット３Ｆ、４Ｆは以前のフレームセット１Ｆ、２Ｆと同一に映像が表示でき、以後の二つのフレームセット５Ｆ−８Ｆでは以前の二つのフレームセット１Ｆ−４Ｆと反対順序でガンマ曲線を適用した映像を表示してもよい。
【０２１１】
この時、第２画素ＰＸ２は第１画素ＰＸ１と異なるガンマ曲線による映像を表示してもよい。例えば、各フレームセットで第２画素ＰＸ２が表示する映像のガンマ曲線のフレームによる順序は、第１画素ＰＸ１が表示する映像のガンマ曲線のフレームによる順序と反対であってもよい。これは後述の図３７乃至図４７にも同一に適用される。
【０２１２】
図３７を参照すれば、一つのフレームセット１Ｆ、２Ｆの一番目のフレームで第１画素ＰＸ１の第１副画素ＰＸａが第１映像Ｈを表示し第２副画素ＰＸｂが第３映像Ｍを表示し、二番目のフレームで第１画素ＰＸ１の第１副画素ＰＸａおよび第２副画素ＰＸｂが第２映像Ｌを表示した場合、次のフレームセット３Ｆ、４Ｆの一番目のフレームで第１画素ＰＸ１の第１副画素ＰＸａおよび第２副画素ＰＸｂが第２映像Ｌを表示し、二番目のフレームで第１画素ＰＸ１の第１副画素ＰＸａが第１映像Ｈを表示し第２副画素ＰＸｂが第３映像Ｍを表示してもよい。以後の二つのフレームセット５Ｆ−８Ｆでは以前の二つのフレームセット１Ｆ−４Ｆと反対順序でガンマ曲線を適用した映像を表示してもよい。
【０２１３】
本実施形態によれば、輝度の低い第２映像Ｌが連続したフレームで表示され輝度の高い第１映像Ｈも連続１フレームで表示できるので、液晶分子の遅い応答速度を補完してもよいので側面視認性をさらに向上させることができる。
【０２１４】
図３８および図３９を参照すれば、一つのフレームセットが含む二つのフレームのうちの一つで各画素ＰＸ１、ＰＸ２の第１副画素ＰＸａは第１映像Ｈを表示し第２副画素ＰＸｂは第２映像Ｌを表示することができ、残り一つのフレームで第１副画素ＰＸａは第３映像Ｍを表示し第２副画素ＰＸｂは第２映像Ｌを表示してもよい。図３８は一対の左眼映像信号Ｌおよび右眼映像信号Ｒに対して隣接した二つのフレームセットでガンマ曲線が適用される順序が互いに同一である例を示し、図３９は一対の左眼映像信号Ｌおよび右眼映像信号Ｒに対して隣接した二つのフレームセットでガンマ曲線が適用される順序が互いに反対である例を示す。
【０２１５】
本実施形態でも最初の二つのフレームセット１Ｆ−４Ｆ以後の二つのフレームセット５Ｆ−８Ｆでは以前の二つのフレームセット１Ｆ−４Ｆと反対順序でガンマ曲線を適用した映像を表示してもよい。しかし、図３９に示した実施形態のように三番目のフレームセット５Ｆ、６Ｆは二番目のフレームセット３Ｆ、４Ｆと、四番目のフレームセット７Ｆ、８Ｆは一番目のフレームセット１Ｆ、２Ｆと同一であってもよい。
【０２１６】
特に図３９に示した実施形態によれば、輝度が相対的に低い第３映像Ｍが連続したフレームで表示され、輝度の高い第１映像Ｈも連続したフレームで表示できるので、液晶分子の遅い応答速度を補完することができ側面視認性をさらに向上させることができる。
【０２１７】
図４０および図４１を参照すれば、一つのフレームセットを含む二つのフレームのうちの一つで、各画素ＰＸ１、ＰＸ２の第１副画素ＰＸａは第２映像Ｌを表示し第２副画素ＰＸｂは第１映像Ｈを表示することができ、残り一つのフレームで第１副画素ＰＸａは第３映像Ｍを表示し、第２副画素ＰＸｂは第２映像Ｌを表示してもよい。図４０は、一対の左眼映像信号Ｌおよび右眼映像信号Ｒに対して隣接した二つのフレームセットで、ガンマ曲線が適用される順序が互いに同一である例を示し、図４１は、一対の左眼映像信号Ｌおよび右眼映像信号Ｒに対して隣接した二つのフレームセットで、ガンマ曲線が適用される順序が互いに反対である例を示す。
【０２１８】
本実施形態でも、最初の二つのフレームセット１Ｆ−４Ｆ以後の二つのフレームセット５Ｆ−８Ｆでは、以前の二つのフレームセット１Ｆ−４Ｆと反対順序でガンマ曲線を適用した映像を表示してもよい。しかし、図４１に示した実施形態のように、三番目のフレームセット５Ｆ、６Ｆは二番目のフレームセット３Ｆ、４Ｆと、四番目のフレームセット７Ｆ
、８Ｆは一番目のフレームセット１Ｆ、２Ｆと同一であってもよい。
【０２１９】
図４２および図４３を参照すれば、一つのフレームセットが含む二つのフレームのうちの一つで、各画素ＰＸ１、ＰＸ２の第１副画素ＰＸａは第１映像Ｈを表示し、第２副画素ＰＸｂは第３映像Ｍを表示することができ、残り一つのフレームで第１副画素ＰＸａは第３映像Ｍを表示し、第２副画素ＰＸｂは第２映像Ｌを表示してもよい。図４２は、一対の左眼映像信号Ｌおよび右眼映像信号Ｒに対して隣接した二つのフレームセットで、ガンマ曲線が適用される順序が互いに同一である例を示し、図４３は、一対の左眼映像信号Ｌおよび右眼映像信号Ｒに対して隣接した二つのフレームセットで、ガンマ曲線が適用される順序が互いに反対である例を示す。
【０２２０】
本実施形態でも、最初の二つのフレームセット１Ｆ−４Ｆ以後の二つのフレームセット５Ｆ−８Ｆでは、以前の二つのフレームセット１Ｆ−４Ｆと反対順序でガンマ曲線を適用した映像を表示してもよい。しかし、図４３に示した実施形態のように、三番目のフレームセット５Ｆ、６Ｆは二番目のフレームセット３Ｆ、４Ｆと、四番目のフレームセット７Ｆ、８Ｆは一番目のフレームセット１Ｆ、２Ｆと同一であってもよい。
【０２２１】
図４４および図４５を参照すれば、一つのフレームセットが含む二つのフレームのうちの一つで、各画素ＰＸ１、ＰＸ２の第１副画素ＰＸａは第１映像Ｈを表示し第２副画素ＰＸｂは第３映像Ｍを表示することができ、残り一つのフレームで、第１副画素ＰＸａは第２映像Ｌを表示し、第２副画素ＰＸｂは第３映像Ｍを表示してもよい。図４４は、一対の左眼映像信号Ｌおよび右眼映像信号Ｒに対して隣接した二つのフレームセットで、ガンマ曲線が適用される順序が互いに同一である例を示し、図４５は、一対の左眼映像信号Ｌおよび右眼映像信号Ｒに対して隣接した二つのフレームセットで、ガンマ曲線が適用される順序が互いに反対である例を示す。
【０２２２】
本実施形態でも、最初の二つのフレームセット１Ｆ−４Ｆ以後の二つのフレームセット５Ｆ−８Ｆでは、以前の二つのフレームセット１Ｆ−４Ｆと反対順序でガンマ曲線を適用した映像を表示してもよい。しかし、図４５に示した実施形態のように、三番目のフレームセット５Ｆ、６Ｆは二番目のフレームセット３Ｆ、４Ｆと、四番目のフレームセット７Ｆ、８Ｆは一番目のフレームセット１Ｆ、２Ｆと同一であってもよい。
【０２２３】
図４６および図４７を参照すれば、一つのフレームセットが含む二つのフレームのうちの一つで、各画素ＰＸ１、ＰＸ２の第１副画素ＰＸａは第３映像Ｍを表示し第２副画素ＰＸｂは第１映像Ｈを表示することができ、残り一つのフレームで第１副画素ＰＸａは第３映像Ｍを表示し、第２副画素ＰＸｂは第２映像Ｌを表示してもよい。図４６は、一対の左眼映像信号Ｌおよび右眼映像信号Ｒに対して隣接した二つのフレームセットで、ガンマ曲線が適用される順序が互いに同一である例を示し、図４７は、一対の左眼映像信号Ｌおよび右眼映像信号Ｒに対して隣接した二つのフレームセットで、ガンマ曲線が適用される順序が互いに反対である例を示す。
【０２２４】
本実施形態でも、最初の二つのフレームセット１Ｆ−４Ｆ以後の二つのフレームセット５Ｆ−８Ｆでは以前の二つのフレームセット１Ｆ−４Ｆと反対順序でガンマ曲線を適用した映像を表示してもよい。しかし、図４７に示した実施形態のように、三番目のフレームセット５Ｆ、６Ｆは二番目のフレームセット３Ｆ、４Ｆと、四番目のフレームセット７Ｆ、８Ｆは一番目のフレームセット１Ｆ、２Ｆと同一であってもよい。
【０２２５】
その他にも、二つの副画素ＰＸａ  、ＰＸｂに対して一つのフレームセットで表示される映像が従うガンマ曲線は、図５及び図６との関係で前述の、第１乃至第３ガンマ曲線ＧＨ、ＧＬ、ＧＭの中で多様に選択できる。また、一つのフレームセットは、三個以上の連続
したフレームを含むこともできる。また、四つ以上のガンマ曲線による映像を多様に配置してもよい。
【０２２６】
例えば、本発明の他の実施形態による表示装置は四つ以上のガンマ曲線による映像を表示することができ、この場合、図３６乃至図４７に示した実施形態で行方向または列方向に隣接した二つの画素ＰＸ１、ＰＸ２の副画素ＰＸａ、ＰＸｂが表示する第３映像Ｍは、互いに異なるガンマ曲線によることもできる。
【０２２７】
本発明の他の実施形態によれば、図３６乃至図４７に示した実施形態で各画素ＰＸ１、ＰＸ２が含む第１および第２副画素ＰＸａ、ＰＸｂの映像が従うガンマ曲線は、互いに変えることもできる。この場合にも二つの画素ＰＸ１、ＰＸ２の副画素ＰＸａ、ＰＸｂが表示する第３映像Ｍは互いに異なるガンマ曲線によることもできる。
【０２２８】
空間分割駆動で図５に示されたような第１および第２ガンマ曲線ＧＨ、ＧＬを利用する場合には、図３６乃至図４７に示された第３映像Ｍは、図５に示された第２ガンマ曲線ＧＬによる第２映像Ｌに変えて駆動できる。
【０２２９】
これによれば、空間分割駆動および時分割駆動が共に適用されて、一つのフレームの間に二つの副画素ＰＸａ、ＰＸｂを通じて一つの入力映像信号Ｌ、Ｒに対する互いに異なるガンマ曲線による映像を表示することができ、また、連続したフレームで各副画素ＰＸａ、ＰＸｂが互いに異なるガンマ曲線による映像を表示してもよい。したがって、二つの副画素ＰＸａ、ＰＸｂに対して二つ以上の連続したフレームを含むフレームセットの間の側面での合成ガンマ曲線が、正面ガンマ曲線ＧＦに最大限近づいて、側面視認性を向上させることができる。
【０２３０】
以下、図４８乃至図５０を参照して本発明の一実施形態による表示装置の駆動方法について説明する。図４８乃至図５０では‘Ｈ’は第１ガンマ曲線ＧＨによる第１映像を表示し、‘Ｌ’は第２ガンマ曲線ＧＬによる第２映像を示すことにする。
【０２３１】
図４８乃至図５０はそれぞれ本発明の一実施形態による表示装置の複数の画素の輝度を示した図面である。
【０２３２】
図３、図４８乃至図５０を参照すれば、本発明の一実施形態による表示装置の表示板３００は、行列形態に配列された複数のドットＤｏｔ１、Ｄｏｔ２、Ｄｏｔ３、Ｄｏｔ４を含み、各ドットＤｏｔ１、Ｄｏｔ２、Ｄｏｔ３、Ｄｏｔ４は赤色、緑色および青色などのような互いに異なる基本色をそれぞれ表示する複数の画素ＰＸ１、ＰＸ２、ＰＸ３を含む。一つのドットＤｏｔ１−Ｄｏｔ４が含む第１画素ＰＸ１、第２画素ＰＸ２および第３画素ＰＸ３は、それぞれ互いに異なる三原色、例えば赤色、緑色および青色を示すことができる。各ドットＤｏｔ１−Ｄｏｔ４が含む複数の画素ＰＸ１、ＰＸ２、ＰＸ３は行方向または列方向に配置でき、それぞれ互いに異なる入力映像信号ＩＤＡＴに対応する映像を表示してもよい。
【０２３３】
本発明の一実施形態によれば、２Ｄモードで各画素ＰＸ１、ＰＸ２、ＰＸ３は第１ガンマ曲線ＧＨによる第１映像Ｈと第２ガンマ曲線ＧＬによる第２映像Ｌを、一つのフレームセットが含む複数のフレームの間に表示してもよい。３Ｄモードで各画素ＰＸ１、ＰＸ２、ＰＸ３は、左眼映像信号Ｌに対応する左眼データ電圧と右眼映像信号Ｒに対応する右眼データ電圧の入力を交互に受けて、左眼映像および右眼映像をフレームごとに交互に表示してもよい。特に、３Ｄモードで各画素ＰＸ１、ＰＸ２、ＰＸ３は一つのガンマ曲線によるデータ電圧Ｖｄの入力を受けることができ、隣接した画素ＰＸ１、ＰＸ２、ＰＸ３は互いに異なるガンマ曲線によるデータ電圧Ｖｄの入力を受けることができる。これによって３
Ｄモードで側面視認性を向上させることができる。
【０２３４】
具体的に図４８を参照すれば、一つのフレームで一つの画素行の画素ＰＸは、同一のガンマ曲線によるデータ電圧Ｖｄの入力を受けて、第１映像Ｈまたは第２映像Ｌを表示し、列方向Ｄ２に隣接する画素ＰＸは互いに異なるガンマ曲線によるデータ電圧Ｖｄの入力を受ける。このとき、一つのドットＤｏｔ１−Ｄｏｔ４が含む画素ＰＸ１、ＰＸ２、ＰＸ３は、同一のガンマ曲線による映像を表示してもよい。次のフレームで各画素ＰＸの映像が従うガンマ曲線は以前のフレームと異なってもよい。
【０２３５】
図４９を参照すれば、一つのフレームで一つのドットＤｏｔ１−Ｄｏｔ４の画素ＰＸ１、ＰＸ２、ＰＸ３は、同一のガンマ曲線による映像を表示するが、行方向Ｄ１または列方向Ｄ２に隣接するドットＤｏｔ−Ｄｏｔ４は互いに異なるガンマ曲線による映像Ｈ、Ｌを表示してもよい。このとき、対角線方向に向き合う二つのドットＤｏｔ１−Ｄｏｔ４は、互いに同一のガンマ曲線による映像Ｈ、Ｌを表示することになり、隣接した二つのフレームで各ドットＤｏｔ１−Ｄｏｔ４が表示する映像が従うガンマ曲線を変えることができる。次のフレームで各画素ＰＸの映像が従うガンマ曲線は、以前のフレームと異なってもよい。
【０２３６】
図５０を参照すれば、一つのフレームで行方向Ｄ１および列方向Ｄ２に隣接した画素ＰＸ１、ＰＸ２、ＰＸ３は互いに異なるガンマ曲線によるデータ電圧Ｖｄの入力を受けて映像Ｈ、Ｌを表示してもよい。したがって、一つのドットＤｏｔ１−Ｄｏｔ４は互いに異なるガンマ曲線による映像を表示する画素ＰＸ１、ＰＸ２、ＰＸ３を含んでもよい。次のフレームで各画素ＰＸの映像が従うガンマ曲線は以前のフレームと異なってもよい。
【０２３７】
以下、図５１乃至図５３を参照して本発明の一実施形態による表示装置の駆動方法について説明する。
【０２３８】
図５１は本発明の一実施形態による表示装置の表示板の簡略な回路図であり、図５２は本発明の一実施形態による立体映像を表示することができる表示装置の駆動方法を示すタイミング図であり、図５３の（ａ）乃至（e）はそれぞれ本発明の一実施形態による表示装
置の二つの画素行における画素の時間による輝度変化を示した図面である。
【０２３９】
まず、図５１を参照すれば、本発明の一実施形態による表示装置は、複数の画素行を含む。２ｉ−１番目画素行（２ｉ-１-ｔｈ ｐｉｘｅｌ ｒｏｗ）（ｉは自然数）の画素ＰＸ１と２ｉ番目画素行の画素ＰＸ２は互いに異なるゲート線ＧＬ１、ＧＬ２および一つのデータ線ＤＬにスイッチング素子Ｑを通じて接続される。第１画素ＰＸ１は、２ｉ−１番目画素行に含まれている画素であり、第２画素ＰＸ２は、２ｉ番目画素行（２ｉ-ｔｈ ｐｉｘｅｌ ｒｏｗ）に含まれている画素である。二つのゲート線ＧＬ１、ＧＬ２は列方向に互
いに隣接したゲート線であってもよい。また、二つのゲート線ＧＬ１、ＧＬ２は、互いに異なる時間にゲートオン電圧Ｖｏｎを伝達することもでき、同時にゲートオン電圧Ｖｏｎを伝達することもできる。
【０２４０】
図５２を参照すれば、本実施形態による表示装置の駆動方法において、左眼映像信号Ｌおよび右眼映像信号Ｒのそれぞれに対する一つのフレームの映像表示期間は予備充電のときｆ１、メイン充電のときｆ２、ｆ３およびブラック映像のときｆ４を含む。図５２は一部画素行についてのみ示したが、画素行数はこれに限定されない。
【０２４１】
本発明の一実施形態によれば、二つ以上の画素行は対を成して駆動できる。
【０２４２】
予備充電のときｆ１では、２ｉ−１番目画素行に該当する出力映像信号ＤＡＴに対応する
データ電圧Ｖｄで２ｉ−１番目画素行および２ｉ番目画素行の画素ＰＸを同時に充電する。つまり、第１画素行および第２画素行の画素ＰＸは、第１画素行に該当する出力映像信号ＤＡＴのデータ電圧Ｖｄで充電され、第３画素行および第４画素行の画素ＰＸは第３画素行に該当する出力映像信号ＤＡＴのデータ電圧Ｖｄで充電され、以後の画素行も類似の方法で充電される。
【０２４３】
メイン充電のときｆ２では、２ｉ−１番目画素行の画素ＰＸは充電電圧を維持（ｈｏｌｄ）し、２ｉ番目画素行の画素ＰＸは、２ｉ番目画素行に該当する出力映像信号ＤＡＴに対応するデータ電圧Ｖｄで充電される。
【０２４４】
メイン充電のときｆ３では、２ｉ番目画素行の画素ＰＸは充電電圧を維持（ｈｏｌｄ）し、２ｉ−１番目画素行の画素ＰＸは２ｉ−１番目画素行に該当する出力映像信号ＤＡＴに対応するデータ電圧Ｖｄで充電される。
【０２４５】
ブラック映像のときｆ４では、すべての画素行の画素ＰＸにブラック映像に該当するブラックデータ電圧ｂが充電されるか、または以前の充電電圧が維持（ｈｏｌｄ）される。
【０２４６】
バックライト９００の発光期間ＯＮは、各フレームに対して一番目画素行のメイン充電のときｆ２の中間部分から開始して最後の画素行のメイン充電のときｆ３まで持続できるが、これに限定されず適切な輝度およびクロストーク減少のために調節される。
【０２４７】
このような表示装置の駆動方法で、予備充電のときｆ１で適用されるガンマ曲線とメイン充電のときｆ２、ｆ３で適用されるガンマ曲線を互いに異にして３Ｄ映像の側面視認性を向上させることができる。ここで、ガンマ曲線の適用順序は前述の様々な実施形態と同一であってもよい。
【０２４８】
たとえば、図５３の（ａ）を参照すれば、各左眼映像信号Ｌおよび右眼映像信号Ｒに対するフレームの予備充電のときｆ１で、２ｉ−１番目画素行の画素ＰＸ１および２ｉ番目画素行の画素ＰＸ２には、第１ガンマ曲線ＧＨによるデータ電圧Ｖｄが充電されて、第１映像ｈｉが表示できる。メイン充電のときｆ２、ｆ３では、２ｉ−１番目画素行および２ｉ番目画素行の画素ＰＸに第２ガンマ曲線ＧＬによるデータ電圧Ｖｄが充電されて、第２映像ｌｏが表示されるか、または以前の充電電圧が維持（−）される。ブラック映像のときｆ４ではすべての画素行の画素ＰＸにブラックデータ電圧ｂが充電されて、ブラック映像Ｂが表示されるか、または以前の映像が維持される。
【０２４９】
図５３の（ｂ）を参照すれば、（ａ）と反対に各フレームの予備充電のときｆ１で２ｉ−１番目画素行の画素ＰＸ１および２ｉ番目画素行の画素ＰＸ２には第２ガンマ曲線ＧＬによるデータ電圧Ｖｄが充電されて、第２映像ｌｏが表示できる。メイン充電のときｆ２、ｆ３では２ｉ−１番目画素行および２ｉ番目画素行の画素ＰＸに第１ガンマ曲線ＧＨによるデータ電圧Ｖｄが充電されて、第１映像ｈｉが表示されるか、または以前の充電電圧が維持（−）される。
【０２５０】
図５３の（ｃ）を参照すれば、一つのフレームの右眼映像信号Ｒまたは左眼映像信号Ｌに対しては予備充電のときｆ１で２ｉ−１番目画素行の画素ＰＸ１および２ｉ番目画素行の画素ＰＸ２は第１映像ｈｉを表示し、メイン充電のときｆ２、ｆ３では第２映像ｌｏを表示するか、または以前の映像が維持（−）できる。その次のフレームの左眼映像信号Ｌまたは右眼映像信号Ｒに対しては以前のフレームと反対に予備充電のときｆ１で２ｉ−１番目画素行の画素ＰＸ１および２ｉ番目画素行の画素ＰＸ２は第２映像ｌｏを表示し、メイン充電のときｆ２、ｆ３では第１映像ｈｉを表示するか、または以前の映像が維持（−）される。
【０２５１】
図５３の（ｄ）を参照すれば、一つのフレームの右眼映像信号Ｒまたは左眼映像信号Ｌに対して、予備充電のときｆ１で、２ｉ−１番目画素行の画素ＰＸ１および２ｉ番目画素行の画素ＰＸ２が第１映像ｈｉを表示し、メイン充電のときｆ２、ｆ３では第２映像ｌｏを表示するか、または以前の映像が維持（−）される。その次のフレームの左眼映像信号Ｌまたは右眼映像信号Ｒに対しては、以前のフレームと異なり予備充電のときｆ１で２ｉ−１番目画素行の画素ＰＸ１および２ｉ番目画素行の画素ＰＸ２は第２映像ｌｏを表示し、メイン充電のときｆ２、ｆ３でも第２映像ｌｏを表示するか、以前の映像が維持（−）される。
【０２５２】
図５３の（ｅ）を参照すれば、一つのフレームの右眼映像信号Ｒまたは左眼映像信号Ｌに対して、予備充電のときｆ１で２ｉ−１番目画素行の画素ＰＸ１および２ｉ番目画素行の画素ＰＸ２が第１映像ｈｉを表示し、メイン充電のときｆ２、ｆ３では第２映像ｌｏを表示するか、または以前の映像が維持（−）できる。その次のフレームの左眼映像信号Ｌまたは右眼映像信号Ｒに対しては、以前のフレームと異なり予備充電のときｆ１で２ｉ−１番目画素行の画素ＰＸ１および２ｉ番目画素行の画素ＰＸ２は第２映像ｌｏを表示し、メイン充電のときｆ２、ｆ３でも第２映像ｌｏを表示するか、または以前の映像が維持（−）できる。その次の二つのフレームでのガンマ曲線の適用順序は以前の二つのフレームでのガンマ曲線の適用順序と反対であってもよい。つまり、次のフレームの右眼映像信号Ｒまたは左眼映像信号Ｌに対して、予備充電のときｆ１で２ｉ−１番目画素行の画素ＰＸ１および２ｉ番目画素行の画素ＰＸ２は第２映像ｌｏを表示し、メイン充電のときｆ２、ｆ３でも第２映像ｌｏを表示するか、または以前の映像を維持（−）し、その次のフレームの左眼映像信号Ｌまたは右眼映像信号Ｒに対しては、予備充電のときｆ１で２ｉ−１番目画素行の画素ＰＸ１および２ｉ番目画素行の画素ＰＸ２は第２映像ｌｏを表示し、メイン充電のときｆ２、ｆ３では第１映像ｈｉを表示するか、または以前の映像が維持（−）できる。
【０２５３】
本発明の様々な実施形態に関する説明および図面では左眼映像信号Ｌが右眼映像信号Ｒより先に入力されると説明したが、これに限定されるのではなく、右眼映像信号Ｒが左眼映像信号Ｌより先に入力されると説明することもできる。
【０２５４】
以上で本発明の好ましい実施形態について詳細に説明したが、本発明の権利範囲はこれに限定されるのではなく、特許請求の範囲で定義している本発明の基本概念を利用した当業者の様々な変形および改良形態も本発明の権利範囲に属するのである。
【符号の説明】
【０２５５】
６０：立体映像変換部
１９１：画素電極
３００：表示板
４００：ゲート駆動部
５００：データ駆動部
６００：信号制御部
６５０：メモリ
６６０：フレームメモリ
７００：統合制御部
８００：階調電圧生成部
９００：バックライト
９５０：バックライト制御部
【図４】
2014010446.tif 000003
【図７】
2014010446.tif 000004
【図８】
2014010446.tif 000005
【図９】
2014010446.tif 000006
【図１０】
2014010446.tif 000007
【図１１】
2014010446.tif 000008
【図１２Ａ】
2014010446.tif 000009
【図１２Ｂ】
2014010446.tif 000010
【図１３】
2014010446.tif 000011
【図１４】
2014010446.tif 000012
【図１５】
2014010446.tif 000013
【図１６】
2014010446.tif 000014
【図１７】
2014010446.tif 000015
【図１８】
2014010446.tif 000016
【図１９】
2014010446.tif 000017
【図２０】
2014010446.tif 000018
【図２１】
2014010446.tif 000019
【図２２】
2014010446.tif 000020
【図２３】
2014010446.tif 000021
【図２４】
2014010446.tif 000022
【図２５】
2014010446.tif 000023
【図２６】
2014010446.tif 000024
【図２７】
2014010446.tif 000025
【図２８】
2014010446.tif 000026
【図２９】
2014010446.tif 000027
【図３０】
2014010446.tif 000028
【図３１】
2014010446.tif 000029
【図３２】
2014010446.tif 000030
【図３３】
2014010446.tif 000031
【図３４】
2014010446.tif 000032
【図３５】
2014010446.tif 000033
【図３６】
2014010446.tif 000034
【図３７】
2014010446.tif 000035
【図３８】
2014010446.tif 000036
【図３９】
2014010446.tif 000037
【図４０】
2014010446.tif 000038
【図４１】
2014010446.tif 000039
【図４２】
2014010446.tif 000040
【図４３】
2014010446.tif 000041
【図４４】
2014010446.tif 000042
【図４５】
2014010446.tif 000043
【図４６】
2014010446.tif 000044
【図４７】
2014010446.tif 000045
【図４８】
2014010446.tif 000046
【図４９】
2014010446.tif 000047
【図５０】
2014010446.tif 000048
【図５１】
2014010446.tif 000049
【図５３】
2014010446.tif 000050
【図１】
2014010446.tif 000051
【図２】
2014010446.tif 000052
【図３】
2014010446.tif 000053
【図５】
2014010446.tif 000054
【図６】
2014010446.tif 000055
【図５２】
2014010446.tif 000056